(57)【要約】【課題】水を調合物中に加圧によって進入させ、調合物の風味を適切に抽出し得るようなコップ形状の調合飲料供給器具を提供すること。【解決手段】加圧された熱湯を供給するために注入噴出口（３００）を備えると共に、調合用の素材を保持する収容室を形成している容器本体（１４）を備え、当該容器本体（１４）が、下側における調合飲用液を放流する放流開口部（４８）、容器本体（１４）に対し加圧された熱湯を供給するための前記注入噴出口（３００）の近傍の位置に配置された注入開口部（６９）、前記収容室を加圧された熱湯が充満した際に、当該収容室から空気が流出するための第３開口部、及び当該収容室と流通自在にて接続し、かつ飲用液が前記第３開口部を介して、当該収容室から流出することを防止するための機構を備えることによって、前記課題を解決し得る容器タイプのコーヒー焙煎器具として使用し得るコップ形状の調合飲料供給器具。【選択図】図５
2017506088.tif 000002
【特許請求の範囲】
【請求項１】
加圧された熱湯を供給するために注入噴出口を備えると共に、
調合用の素材を保持する収容室を形成している容器本体を備え、
当該容器本体が、下側における調合飲用液を放流する放流開口部、容器本体に対し加圧された熱湯を供給するための前記注入噴出口の近傍の位置に配置された注入開口部、前記収容室を加圧された熱湯が充満した際に、当該収容室から空気が流出するための第３開口部、及び当該収容室と流通自在にて接続し、かつ飲用液が前記第３開口部を介して、当該収容室から流出することを防止するための機構を備えている容器タイプのコーヒー焙煎器具として使用し得るコップ形状の調合飲料供給器具。
【請求項２】
加圧された熱湯が収容室を充満し、かつ空気が当該収容室の上側部分から流出する際に、当該収容室における加圧状態を更に増加していることを特徴とする請求項１記載のコップ形状の調合飲料供給器具。
【請求項３】
加圧された熱湯が調合操作の最終段階にて、前記収容室から落下する際に、空気が当該収容室内に流入していることを特徴とする請求項２記載のコップ形状の調合飲料供給器具。
【請求項４】
容器本体における前記収容室における第３開口部と流通可能状態にある閉鎖した空気室を備えており、当該収容室を加圧された熱湯が充満する際に、当該閉鎖された空気室に空気が当該収容室の上側部分から流入し、かつ次第に加圧された状態と化していることを特徴とする請求項１記載のコップ形状の調合飲料供給器具。
【請求項５】
密閉した空気室は、容器本体を囲んだ状態にて環状壁部を備えていることを特徴とする請求項４記載のコップ形状の調合飲料供給器具。
【請求項６】
前記供給器具が容器本体の上端を密閉するための上側被覆部を備えており、当該上側被覆部は、収容室と周囲の外気とを流通可能な状態にて結合している第３開口部、当該第３開口部と結合している弁機構を備えており、当該弁機構は、前記収容室が加圧された熱湯によって少なくとも予め設定したレベルまで充満された場合には第３開口部を閉鎖し、加圧された熱湯が前記収容室から落下することによって予め設定したレベル未満となった場合には、第３開口部を開いた状態としていることを特徴とする請求項１記載のコップ形状の調合飲料供給器具。
【請求項７】
前記弁機構が上側被覆部と接続していることを特徴とする請求項６記載のコップ形状の調合飲料供給器具。
【請求項８】
前記弁機構は、弁室を備えており、しかもお茶の葉、コーヒー粉が当該弁室に進入することを防ぐ一方、調合の全工程が終了した場合には、熱湯が当該弁室から流出することを可能とするような遮蔽部を備えていることを特徴とする請求項６記載のコップ形状の調合飲料供給器具。
【請求項９】
弁機構が第３開口部の近傍に配置されている弁室を備えた浮上弁機構であって、当該浮上弁機構においては、弁室内にて移動自在の弁ボール及び当該弁ボールを保持し、かつ弁室に調理飲用液の流入及び流出を可能とするような保持部が備えられており、当該保持部によって、加圧された熱湯が予め設定したレベルに至った場合には、弁ボールが第３開口部を閉鎖するために浮上し、加圧された熱湯が落下し、かつ予め設定されたレベル未満となった場合には、弁ボールが第３開口部を開放するために沈下することを特徴とする請求項６記載のコップ形状の調合飲料供給器具。
【請求項１０】
前記供給器具が容器本体の上端を密閉するための上側被覆部を備えており、当該上側被覆部は、収容室と周囲の外気とを流通可能な状態にて結合している第３開口部及び注入開口部を備えると共に、前記供給器具が前記上側被覆部と接続し、かつ下側の収容室に延設されている細長形状の水注入用チューブを備えており、当該水注入用チューブは、上側被覆部の注入開口部と連通可能状態にて接続している流入開口部を備えると共に、収容室内にて延設されることによって、少なくとも１個の流出開口部を備えていることを特徴とする請求項１記載のコップ形状の調合飲料供給器具。
【請求項１１】
少なくとも１個の流出開口部として反対方向に２個の状態にて配置されていることを特徴とする請求項１０記載のコップ形状の調合飲料供給器具。
【請求項１２】
流出開口部が上側に向かうような角度方向であることを特徴とする請求項１０記載のコップ形状の調合飲料供給器具。
【請求項１３】
流出開口部が流入開口部よりも小さな径を有していることを特徴とする請求項１記載のコップ形状の調合飲料供給器具。
【請求項１４】
容器本体の下端側であり、かつ放流開口部の上側に当該放流開口部を介して調合物が通過することを防止するための濾過部材が備えられていることを特徴とする請求項１記載のコップ形状の調合飲料供給器具。
【請求項１５】
容器本体の下端側には先細り形状の壁部が備えられており、容器本体から放流開口部に調合飲用液が放流されていることを特徴とする請求項１記載のコップ形状の調合飲料供給器具。
【請求項１６】
前記流出開口部の下に、調合飲用液を冷却するために、当該流出開口部を介して容器本体から噴出された調合飲用液を噴霧化するための噴霧器を備えていることを特徴とする請求項１記載のコップ形状の調合飲料供給器具。
【請求項１７】
加圧された熱湯を供給するための注入噴出口を有すると共に、調合用素材を収容する収容室を形成している容器本体を備え、当該容器本体が、下端側における調合飲用液を放流するための放流開口部、加圧された熱湯を供給するための注入噴出口に比較的近い位置に設定された注入開口部及び放流開口部の下側の位置における当該放流開口部を介して放流された調合飲用液を冷却するための当該調合飲用液を噴霧化するための噴霧器をそれぞれ備えている容器タイプのコーヒー焙煎器具として使用し得るコップ形状の調合飲料供給器具。
【請求項１８】
コーヒー焙煎器具が、加圧された熱湯の供給源及び移動可能な支持部を備え、前記器具の注入噴出口が移動可能な支持部及び加圧された熱湯の供給源と接続しており、前記供給源から加圧された熱湯は、単一の供給容器における注入用供給開口部を介して前記器具内において調合物を収容している収容室に供給され、
弁機構は、移動可能な支持部に接続されており、かつ加圧された熱湯が収容室内にて少なくとも予め設定されたレベルに至るまで充満した場合には、単一の供給容器内における弁開口部を閉鎖するように作用し、当該加圧された熱湯が収容室内から落下し、予め設定されたレベル未満に至った場合には、当該弁開口部を開放するように作用しており、
移動可能な支持部は、第１の操作位置と第２の操作位置との間を移動するような機構を採用し、
第１の操作位置においては、注入噴出口が注入用供給開口部を介して加圧された熱湯を供給し、かつ弁機構が弁開口部を介して収容室内に移動しており、第２の操作位置においては、注入噴出口が注入用供給開口部から撤去され、かつ弁機構が収容室から撤去されており、
放流開口部が収容室から調合飲用液が流出するために設けられている調合物を収容している１個の単一の供給器具を採用している容器タイプのコーヒー焙煎器具。
【請求項１９】
単一の供給容器は、注入用供給開口部及び弁開口部を有する上側部を備えていることを特徴とする請求項１８記載の容器タイプのコーヒー焙煎器具。
【請求項２０】
単一の供給容器は、貫通する上側部を備えており、注入噴出口は、移動可能な支持部が第１の操作位置に移動した際に、注入用供給開口部を形成するために前記上側部が貫通するための第１の貫通端部を備えており、弁機構は、移動可能な支持部が第１の操作位置に移動した際に、弁開口部を形成するために前記上側部が貫通するための第２の貫通端部を備えていることを特徴とする請求項１８記載の容器タイプのコーヒー焙煎器具。
【請求項２１】
調合飲用液を放流開口部を介して排出するために、容器が器具内にて流出開口部を形成するような位置にある場合には、当該容器の底部を貫通する流出用貫通チューブを少なくとも１個備えていることを特徴とする請求項１８記載の容器タイプのコーヒー焙煎器具。
【請求項２２】
単一の前記容器を支持するための収容室を設けており、当該収容室は、調合用飲用液を放流用開口部を介して排出するために、前記容器が前記収容室内において、流出開口部を形成し得るような位置にある場合には、容器の底部を貫通する流出用貫通チューブを少なくとも１個備えていることを特徴とする請求項１８記載の容器タイプのコーヒー焙煎器具。
【発明の詳細な説明】
【技術分野】
【０００１】
本発明は、通常の容器タイプのコーヒー焙煎器具に関するものであり、特にお茶、コーヒー、ココア、ビール、麦芽飲料、及び穀物飲料の調合に使用可能であって、当該容器タイプのコーヒー焙煎器具としても使用可能であるコップ形状の調合飲料供給器具を対象としている。
【背景技術】
【０００２】
「ＫＥＵＲＩＧ」という登録商標の下に、コーヒーを調合する供給器具の単体は、極めて人気のある製品である。
【０００３】
当該器具は、単一部品である容器又はＫ−ＣＵＰという登録商標の下に販売されている供給容器又は包装体を使用している。
【０００４】
何れの包装体も、コーヒーのような調合飲料を収容し、かつ上側の開放端において気密状態となっている薄板の蓋を使用している。
【０００５】
同じような器具は、「ＮＥＳＰＲＥＳＳＯ」の商標の下に販売されている。
【０００６】
このような包装体が、１個の調合用器具内に配置された場合には、調合用器具は、噴霧用ノズルの作用によって包装体の薄板に突入し、かつ放出用ノズルによって包装体の底壁から突出することになる。
【０００７】
そして、コーヒー粉は包装体内に保持されている。
【０００８】
加圧された熱湯が噴霧用ノズルを介して供給された場合には、コーヒー粉と混合した後、放出用ノズルを介して、当該放出用ノズルの下側にて飲用者にて配置されたコーヒー飲用器具の側に噴出する。
【０００９】
しかしながら、このような作動の場合には、噴出ノズルによって開設された出口用の穴は、基本的に噴霧用ノズルによって開設された穴と同程度の大きさであって、熱湯は包装体中において、所定の部位に浸漬したり貯留する時間を設定することができない。
【００１０】
換言するならば、熱湯は、コーヒー粉が存在する場所を速やかに流通し、かつ出口として開設された穴を通過することにならざるを得ない。
【００１１】
しかも、熱湯が包装体に流入する際には、当該包装体内において気泡が発生する。
【００１２】
然るに、熱湯は、薄板の蓋において開口された入口から供給されるため、前記気泡が脱出する場所がない。
【００１３】
その結果、気泡が集合している場所は、更に熱湯が包装体内を上昇することによって、全コーヒー粉と適当に混合することを妨害し、更には余分な圧力の発生によって、熱湯を噴出用ノズルによって開口された出口から速やかに排出させることになる。
【００１４】
Ｋ−ＣＵＰの商標の下に売られている包装体は、コーヒーの使用に加えて、お茶を煎じるためのお茶の葉、熱いココア飲料を調合するためのココア、果汁飲料を調合するための果実の原材料を収容している。
【００１５】
前記ＫＥＵＲＩＧシステムは、商標ＭＹ  Ｋ−ＣＵＰの下に販売された調合物を注入し、かつ充満することができるフィルター付きの再使用可能な容器又は籠をも備えている。
【００１６】
前記容器又は籠においては、頂部は常に開口しており、しかも器具の注入用ノズルを挿入することができ、しかも側部において大気圧を有している内部と流通自在状態にて接続している空気孔を備えている。
【００１７】
前記籠の底は、少なくとも１個の排出用の開口部を有しており、しかも頂部側の水の注入用の開口部よりも大きな面積を有している。
【００１８】
その結果、更なる開口は不要である。
【００１９】
このような前記ＫＥＵＲＩＧによる装置を適切に作動させるためには、付属している収容器具を最初に外さなければならない。
【００２０】
しかしながら、前記籠の場合には、注入開口部よりも出口の開口部の方が大きく、しかも前記空気通気孔が存在することを原因として、前記籠に流入された熱湯は、速やかに放出用の開口部を通過し、内部に浸潤したり又は貯留する時間は極めて少ない状況にある。
【００２１】
従って、上記システムにおいては、熱湯は必ずしも前記容器又は前記籠という包装体の素材から風味を充分抽出している訳ではない。
【００２２】
その原因は、当該熱湯は、包装体を構成する容器内の素材から風味を抽出するために十分な時間を伴わずに、速やかに当該容器に流入し、かつ流出していることにある。
【００２３】
特に、熱湯が長時間接触する必要があるお茶の葉の場合には、このような技術上の欠陥が著しいという状況にある。
【００２４】
Ｋ−ＣＵＰの商標名を使用した包装体の使用を伴うＫＥＵＲＩＧシステムとは異なる構成として、特許文献１及び同２に示すような公知技術が存在する。
【００２５】
特許文献１の場合においては、調合物を収容した第１収容室（１２）が調合機（１００）において調合を行う第２の収容室（１８）を囲んだ状態にて配置され、双方の収容室は相互に流通可能な状態に設定されており、調合された飲用物は、第２の収容室（１８）の底部における放出加工部（５９）が放出されている。
【００２６】
しかしながら、調合機（１００）による調合作用は極めて非効率的であり、しかも2個の収容室を必要とする特許文献１の構成は、取扱い上極めて不都合であって、前記ＫＥＵＲＩＧシステムと異なる技術上のデメリットが存在する。
【００２７】
特許文献２においては、容器４内の炭酸ガス供給源４１から導管３１を介して貯蔵器１１に当該炭酸ガスを供給する一方、当該貯蔵器１１内に弁２１を介して供給された飲用液と炭酸ガスとの混合が行われ、炭酸ガスが溶解した飲用液は、ポンプ１３によって、弁２１を介して、容器室３に流動している。
【００２８】
これらの一連の作動は、制御装置５によって制御されているが、特許文献２の構成は所謂コーヒー焙煎器具ではなく、しかも装置全体が極めて複雑であって、決してＫＥＵＲＩＧシステムに対する技術的改良点を開示及び示唆している訳ではない。
【先行技術文献】
【特許文献】
【００２９】
【特許文献１】ＷＯ２０１１／１３８４０５Ａ１公報
【特許文献２】ＵＳ２０１１／０２２６３４３Ａ１公報
【発明の概要】
【発明が解決しようとする課題】
【００３０】
前記背景技術の状況に鑑み、本発明は、前記問題点を克服することができる容器タイプのコーヒー焙煎器具として使用するためのコップ形状の調合飲料供給器具を提供すること、
水を調合物中に加圧によって進入させ、特に当該物がお茶の葉である場合に、当該お茶の葉から風味を適切に抽出する前記供給器具を提供すること、
熱湯の充満が開始された段階にて空気が当該供給器具から散逸可能である一方、当該熱湯の充満が終了した場合には、空気が当該供給器具又は包装体を加圧しながら流動するような前記調合可能な供給器具をも提供すること、
熱湯が充満している段階では、前記供給器具又は包装体の上端を空気又は蒸気の進入を防止し得る前記供給器具を提供すること、
当該供給器具又は包装体に流入した熱湯による攪拌状態、乱流状態に基づいて、当該熱湯と飲用物の素材との混合を改善し、当該素材から風味を適切に抽出するような前記供給器具を提供することをも課題とし、
更には、製造及び使用が容易、かつ安価に実現できる前記供給器具を提供することをも課題としている。
【課題を解決するための手段】
【００３１】
上記課題を考慮し、本発明の基本構成は、
加圧された熱湯を供給するために注入噴出口を備えると共に、
調合用の素材を保持する収容室を形成している容器本体を備え、
当該容器本体が、下側における調合飲用液を放流する放流開口部、容器本体に対し加圧された熱湯を供給するための前記注入噴出口の近傍の位置に配置された注入開口部、前記収容室を加圧された熱湯が充満した際に、当該収容室から空気が流出するための第３開口部、及び当該収容室と流通自在にて接続し、かつ飲用液が前記第３開口部を介して、当該収容室から流出することを防止するための機構を備えている容器タイプのコーヒー焙煎器具として使用し得るコップ形状の調合飲料供給器具、
からなる。
【００３２】
前記基本構成においては、加圧された熱湯が収容室を充満し、かつ空気が当該収容室の上側部分から流出する際に、当該収容室における加圧状態を更に増加している。
【００３３】
前記基本構成においては、加圧された熱湯が調合操作の最終段階にて、前記収容室から落下する際に、空気が当該収容室内に流入している。
【００３４】
前記基本構成の実施形態においては、容器本体における前記収容室における第３開口部と流通可能状態にある閉鎖した空気室を備えており、当該収容室を加圧された熱湯が充満する際に、当該閉鎖された空気室に空気が当該収容室の上側部分から流入し、かつ次第に加圧された状態と化している。
【００３５】
しかも、密閉した空気室は、容器本体を囲んだ状態にて環状壁部を備えていることが好ましい。
【００３６】
他の実施形態においては、前記供給器具は、容器本体の上端を密閉するための上側被覆部を備えており、当該上側被覆部は、収容室と周囲の外気とを流通可能な状態にて結合している第３開口部を備えている。
【００３７】
しかも、前記実施形態は、第３開口部と結合している弁機構を備えており、当該弁機構は、前記収容室が加圧された熱湯によって少なくとも予め設定したレベルまで充満された場合には第３開口部を閉鎖し、加圧された熱湯が前記収容室から落下することによって予め設定したレベル未満となった場合には、第３開口部を開いた状態としている。
【００３８】
前記実施形態においては、前記弁機構が上側被覆部と接続していることが好ましい。
【００３９】
前記弁機構は、弁室を備えており、しかもお茶の葉、コーヒー粉が当該弁室に進入することを防ぐ一方、調合の全工程が終了した場合には、熱湯が当該弁室から流出することを可能とするような遮蔽部を備えている。
【００４０】
特に、弁機構が第３開口部の近傍に配置されている弁室を備えた浮上弁機構であることが好ましい。
【００４１】
上記浮上弁機構においては、弁室内にて移動自在の弁ボール及び当該弁ボールを保持し、かつ弁室に調理飲用液の流入及び流出を可能とするような保持部が備えられており、当該保持部によって、加圧された熱湯が予め設定したレベルに至った場合には、弁ボールが第３開口部を閉鎖するために浮上し、加圧された熱湯が落下し、かつ予め設定されたレベル未満となった場合には、弁ボールが第３開口部を開放するために沈下する。
【００４２】
本発明の供給器具は、前記上側被覆部と接続し、かつ下側の収容室に延設されている細長形状の水注入用チューブを備えており、当該水注入用チューブは、上側被覆部の注入開口部と連通可能状態にて接続している流入開口部を備えると共に、収容室内にて延設されることによって、少なくとも１個の流出開口部を備えている。
【００４３】
特に、少なくとも１個の流出開口部として反対方向に２個の状態にて配置されていることが好ましく、しかも流出開口部が上側に向かうような角度方向であることが更に好ましい。
【００４４】
流出開口部は、流入開口部よりも小さな径を有している。
【００４５】
容器本体の下端側であって、かつ放流開口部の上側には、当該放流開口部を介して調合物が通過することを防止するための濾過部材が備えられている。
【００４６】
容器本体の下端側には先細り形状の壁部が備えられており、容器本体から放流開口部に調合飲用液が放流されている。
【００４７】
更には、前記流出開口部の下に、調合飲用液を冷却するために、当該流出開口部を介して容器本体から噴出された調合飲用液を噴霧化するための噴霧器を備えている。
【００４８】
本発明における別の基本構成は、加圧された熱湯を供給するための注入噴出口を有すると共に、調合用素材を収容する収容室を形成している容器本体を備え、当該容器本体が、下端側における調合飲用液を放流するための放流開口部、加圧された熱湯を供給するための注入噴出口に比較的近い位置に設定された注入開口部及び放流開口部の下側の位置における当該放流開口部を介して放流された調合飲用液を冷却するための当該調合飲用液を噴霧化するための噴霧器をそれぞれ備えている容器タイプのコーヒー焙煎器具として使用し得るコップ形状の調合飲料供給器具からなる。
【００４９】
このような別の基本構成においては、容器タイプのコーヒー焙煎器具は、調合物を収容している単一の供給容器を使用しており、しかも当該器具は、加圧された熱湯の供給源及び移動可能な支持部を備えている。
【００５０】
前記器具の注入噴出口は、移動可能な支持部及び加圧された熱湯の供給源と接続しており、前記供給源から加圧された熱湯は、単一の供給容器における注入用供給開口部を介して前記器具内において調合物を収容している収容室に供給されている。
【００５１】
弁機構は、移動可能な支持部に接続されており、かつ加圧された熱湯が収容室内にて少なくとも予め設定されたレベルに至るまで充満した場合には、単一の供給容器内における弁開口部を閉鎖するように作用し、当該加圧された熱湯が収容室内から落下し、予め設定されたレベル未満に至った場合には、当該弁開口部を開放するように作用している。
【００５２】
移動可能な支持部は、第１の操作位置と第２の操作位置との間を移動するような機構を採用している。
【００５３】
第１の操作位置においては、注入噴出口が注入用供給開口部を介して加圧された熱湯を供給し、かつ弁機構が弁開口部を介して収容室内に移動しており、第２の操作位置においては、注入噴出口が注入用供給開口部から撤去され、かつ弁機構が収容室から撤去されている。
【００５４】
放流開口部は、収容室から調合飲用液が流出するために設けられている。
【００５５】
容器タイプのコーヒー焙煎容器の第１の実施形態においては、単一の供給容器は、注入用供給開口部及び弁開口部を有する上側部を備えている。
【００５６】
容器タイプのコーヒー焙煎器具の第２の実施形態においては、単一の供給容器は、貫通する上側部を備えており、注入噴出口は、移動可能な支持部が第１の操作位置に移動した際に、注入用供給開口部を形成するために前記上側部が貫通するための第１の貫通端部を備えており、弁機構は、移動可能な支持部が第１の操作位置に移動した際に、弁開口部を形成するために前記上側部が貫通するための第２の貫通端部を備えている。
【００５７】
容器タイプのコーヒー焙煎器具の第２の実施形態の変形構成においては、調合飲用液を放流開口部を介して排出するために、容器が器具内にて流出開口部を形成するような位置にある場合には、当該容器の底部を貫通する流出用貫通チューブを少なくとも１個備えている。
【００５８】
容器タイプのコーヒー焙煎器具の第２の実施形態の更なる変形構成においては、前記単一の容器を支持するための収容室を設けており、当該収容室は、調合用飲用液を放流用開口部を介して排出するために、前記容器が前記収容室内において、流出開口部を形成し得るような位置にある場合には、容器の底部を貫通する流出用貫通チューブを少なくとも１個備えている。
【発明の効果】
【００５９】
本発明の以上の特徴点及び更なる特徴点は、図面に基づく後述の説明によって更に一層明らかにすることができるが、これらの特徴点によって、本発明は、背景技術の項において前述した従来技術の問題点を克服することができる。
【図面の簡単な説明】
【００６０】
【図１】本発明に基づく調合飲用物を供給するコップ形状の供給器具の頂部に対する斜視図である。
【図２】前記供給器具の底部に対する斜視図である。
【図３】噴霧器を備えている前記供給器具の側面図である。
【図４】底側被覆部を除外した場合の前記供給器具の底部に対する斜視図である。
【図５】図１の５−５のラインに沿った前記供給器具の断面図である。
【図６】図１の６−６のラインに沿った前記供給器具の断面図である。
【図７】前記供給器具における容器本体の頂部に対する斜視図である。
【図８】容器本体の底部に対する斜視図である。
【図９】容器本体の側面図である。
【図１０】容器本体の頂部に対する平面図である。
【図１１】容器本体の底部に対する平面図である。
【図１２】前記供給器具における底側被覆部の頂部に対する斜視図である。
【図１３】前記供給器具における底側被覆部の底部に対する斜視図である。
【図１４】底側被覆部の側面図である。
【図１５】底側被覆部の頂部に対する平面図である。
【図１６】底側被覆部の底部に対する平面図である。
【図１７】前記供給器具における部被覆部の頂部に対する斜視図である。
【図１８】前記供給器具における頂部被覆部の底部に対する斜視図である。
【図１８Ａ】前記供給器具において変形された頂部被覆部の底部に対する斜視図である。
【図１９】図１８とは異なる角度から描いた頂部被覆部の底部に対する斜視図である。
【図２０】図１８に示す頂部被覆部の側面図である。
【図２１】図１８に示す頂部被覆部の頂部に対する平面図である。
【図２２】図１８に示す頂部被覆部の底部に対する平面図である。
【図２３】前記供給器具における環状の遮蔽器具に対する斜視図である。
【図２４】前記供給器具におけるシリコン製のボール収容物の頂部に対する斜視図である。
【図２５】前記供給器具におけるシリコン製のボール収容物の底部に対する斜視図である。
【図２６】図２７の２６−２６のラインに沿ったシリコン製のボールの収容室の断面図である。
【図２７】シリコン製ボールの収容室の頂部に対する平面図である。
【図２８】シリコン製ボールの収容室の底部に対する平面図である。
【図２９】前記供給器具における浮上弁の頂部に対する斜視図である。
【図３０】浮上弁被覆部の底部に対する斜視図である。
【図３１】浮上弁被覆部の側面図である。
【図３２】浮上弁被覆部の頂部に対する平面図である。
【図３３】浮上弁被覆部の底部に対する平面図である。
【図３４】前記供給器具における被覆遮蔽部の頂部に対する斜視図である。
【図３５】被覆遮蔽部の底部に対する斜視図である。
【図３６】被覆遮蔽部の側面図である。
【図３７】被覆遮蔽部の平面図である。
【図３８】被覆遮蔽部の底部平面図である。
【図３９】前記供給器具における水注入チューブの頂部に対する斜視図である。
【図４０】水注入チューブの底部に対する斜視図である。
【図４１】水注入チューブの前側からの側面図である。
【図４２】水注入チューブの横側からの側面図である。
【図４３】水注入チューブの頂部に対する平面図である。
【図４４】水注入チューブの底部に対する平面図である。
【図４５】前記供給器具の他の実施形態の断面図である。
【図４６】前記器具の更なる他の実施形態の断面図である。
【発明を実施するための形態】
【００６１】
図面に即して詳細に説明するに、容器タイプのコーヒー焙煎器具として使用するためのコップ形状の調合飲料供給器具１０は、商標ＫＥＵＲＩＧ又はＮＥＳＰＲＥＳＳＯの下に販売されてきたことは、前述のとおりである。
【００６２】
本発明の特徴点をより分かりやすく説明するために、前記供給器具１０の更に優れた重要事項については、お茶の焙煎に即して以下のとおり論議する。
【００６３】
しかしながら、本発明の調合対象物は、お茶に限定されている訳ではなく、コーヒー、ココア、ビール、麦芽飲料及び穀物飲料を対象とすることができ、しかもこれらの飲用物に限定されている訳ではない。
【００６４】
図１、２、３に示すように、調合飲用物を供給するコップ形状の調合飲用供給器具１０は、容器本体１４、底側被覆部４０及び上側被覆部５０によって形成される収容室形成用胴部１２を備えている。
【００６５】
コップ形状の調合飲料供給器具１０は、前記のＫＥＵＲＩＧの器具の補助用の収容室を、ＫＥＵＲＩＧにおける再使用可能な籠の場合と同様に、着脱自在の状態にて一体として使用することを予定している。
【００６６】
図１〜１１によって明示するように、容器本体１４は、円錐台形であって、調合物を収容するための収容室１９を形成している。
【００６７】
容器本体１４は、ガラス、又は金属材料、又はポリプロピレンのようなプラスチック材料を素材とすることが好ましい。
【００６８】
容器本体１４の上端は、主胴部１５の上端を大きな径を有している上側環状壁部１６を備えており、上側環状肩部１８によって、主胴部１５の上端と結合している。
【００６９】
上側環状壁部１６の外表面には、螺旋状の結合突条２０が形成されている。
【００７０】
同様に、容器本体１４の下端は、主胴部１５の下端よりも小さな径を有する下側環状壁部２２を備えており、当該下側環状壁部２２は、下側環状肩部２４を介して主胴部１５の下端と結合している。
【００７１】
下側環状壁部２２の外側表面には、螺旋状の結合突条２６が形成されている。
【００７２】
十文字形状の骨状構造物２８が、下側環状壁部２２の内側表面と結合しており、中心部３０が十文字形状の骨状構造物２８の中央位置に形成されており、しかも下側に突出している。
【００７３】
中心部３０は、底壁３２を下側端としている。
【００７４】
円形のステンレススティール製の濾過用ディスク３４（図４〜６）が下側環状肩部２４の上側に位置しており、その中央開口部３６は、中心部３０の位置と整列状態にある。
【００７５】
ステンレススティール製の濾過用ディスク３４は複数の小さな開口部を備えており、かつ中央開口部３６を囲んだ状態にある。
【００７６】
図１〜６及び図１２〜１５に示すように、底側被覆部４０は、下側環状壁部２２と連続状態にて結合している。
【００７７】
底側被覆部４０は、ガラス材、又は金属材料、又はポリプロピレンのようなプラスチック材料を原材料とすることが好ましい。
【００７８】
更には、底側被覆部４０は内側の螺旋状接続部４４を伴う下側環状接続壁部４２を備えており、かつ外側の螺旋状の結合突条２６を介して容器本体１４の下側環状接続壁部２２に対し連続状態にて接続している。
【００７９】
円錐台形状壁部４６は、下側環状接続壁部４２の下端側から更に下側に延設されており、その下端中央に調合物が放出される放流開口部４８を備えている。
【００８０】
環状ガイド壁部４９は、円錐台形状壁部４６の内側表面の上端のやや下側から上側方向に突設されており、かつ、その上端からやや下側にて容器本体１４の下側環状壁部２２を収容し得る環状領域５１を形成するように、下側環状接続壁部４２から内側に空間領域を形成している。
【００８１】
図１〜６及び図１７〜２２に示すように、上側被覆部５０は、上側環状壁部１６の上側開口端と接続されている。
【００８２】
上側被覆部５０は、ガラス材又は金属材料、又はポリプロピレンのようなプラスチック材料を素材としていることが好ましい。
【００８３】
上側被覆部５０は、上側円輪壁部５２を備えており、当該円輪壁部５２に対し、外側周辺にて下側に突設されている環状スカート部５４が固着状態にある。
【００８４】
環状スカート部５４の内側表面には、螺旋状の結合突条５６が螺旋状の結合突条２０の外側部分と内側表面にて突条同士の結合を形成した状態にて備えられており、その結果、上側被覆部５０は、容器本体１４の上側環状壁部１６の上端と結合している。
【００８５】
上側被覆部５０が、上側環状壁部１６の上側開口端と接続された場合には、環状遮蔽リング５７（図５、６、２３）は、上側円輪壁部５２の下側表面と上側環状壁部１６の上端との間に位置することによって密封し得る状態を実現している。
【００８６】
尚、環状遮蔽リング５７は、シリコン製の素材であることが好ましい。
【００８７】
更には、上側環状壁部１６の上端が複数個の薄型同心円状リング１７を備え、かつ環状の遮蔽リング５７に突入することによって密封状態を改善することが好ましい。
【００８８】
第１内側円輪壁部５８は、上側円輪壁部５２の円周状の内側円周状端部６０と同一の径又はより小さな径を有する状態にて接続されており、双方の間には下側に延設されている環状壁部６２が介在しており、その結果第１内側円輪壁部５８は、上側円輪壁部５２の内側でありかつ下側の位置に配置されている。
【００８９】
第２内側円輪壁部６４は、第１内側円輪壁部５８の内側円周状端部６６に対し、同一の径又はやや小さな径を有する状態にて下側に延設されている環状壁部６８を介して接続しており、その結果、第２円輪壁部６４は第１内側円輪壁部５８の内側でありかつ下側の位置に配置されている。
【００９０】
第２内側円輪壁部６４は、円周状の内側表面６７によって囲まれた状態にて中央に位置している注入開口部６９を備えている。
【００９１】
環状突起部７０は、第２内側円輪壁部６４の下側表面から下側に突設されており、しかも円周状態の領域からやや内側の領域にて中央に位置している注入開口部６９を囲んだ状態にて配置されており、その結果、第２内側円輪壁部６４の下側表面であって、かつ環状突起部７０の内側にて環状の下側面を呈している肩部７１が形成されている。
【００９２】
上側円輪壁部５２は、内側円周状端部６０から延設され、部分的な環状を呈している切り込み部７２を備える一方、下側に突設されている環状壁部６２は、部分的な環状を呈している切り込み部７２を形成している湾曲部分７４を備えている。
【００９３】
切替開口部７６は、第１内側環状壁部５８を介して、湾曲部分７４の領域内にて延設されている。
【００９４】
弁室７８は、上側被覆部５０の下側側から延設されており、かつ切替開口部７６を囲んだ状態を呈しており、しかもその下端側に相互に反対側に位置している２個の溝穴８０を備えている。
【００９５】
各溝穴８０は、弁室７８の幅に対し、約４分の３の比率にて延設されている。
【００９６】
内側円輪状鍔部８２は、弁室７８の内側表面を形成しており、弁室７８の下端部から測定した場合に、約４分の１の長さを形成している。
【００９７】
図５、６、１８、１８（A）及び２２〜２８に示すように、環状のシリコンボール室７７は、弁室７８の上側端に固着されている。
【００９８】
環状のシリコンボール室７７は、上側被覆部５０の下側面に接する状態にて配設されている上側環状板８１及び弁室７８内に密着されており、かつ下側に伸張している環状スカート８３を備えている。
【００９９】
中央開口部７９は、環状板８１内に形成されており、かつ切替開口部７６と整列状態を呈している。
【０１００】
環状スカート８３の内側表面は、下側に向かって直線状にて、又は湾曲状にて順次拡大することによって、拡大開口部８５を形成しており、かつ中央開口部７９と接続している。
【０１０１】
図５、６及び図２９〜３３に示すように、浮上弁被覆部８４は、弁室７８の下側開口端を閉鎖している。
【０１０２】
浮上弁被覆部８４は、弁室７８の内側径と同程度の外側径を有している環状壁部８６、及び当該環状壁部８６の外側表面に円周状凹部８７を備えている。
【０１０３】
環状壁部８６は、弁室７８の内側表面に形成されている内側円輪状鍔部８２を備えており、その結果、環状壁部８６が弁室７８内に挿入された場合には、浮上弁被覆部８４を不動状態とすることができる。
【０１０４】
溝穴８０は、弁室７８内に環状壁部８６を圧着状態にて挿入することに寄与しており、その結果、弁室７８の内側円輪状鍔部８２は、前記円周状凹部８７に嵌入されている。
【０１０５】
円形底壁８８は、環状壁部８６の下端側に固着されており、しかも当該環状壁部８６よりも大きな径を備えており、その結果、外側に向かう円輪状周囲突条９０を形成している。
【０１０６】
前記円輪状周囲突条９０は、環状壁部８６が弁室７８に内側に挿入された場合には、弁室７８の下端側に当接することになる。
【０１０７】
中心開口部９２は、円形底壁８８に囲まれた状態にて配置されており、複数個（例えば６個）の中心外開口部９４は当該中心開口部９２を囲んだ状態にて配置されている。
【０１０８】
その結果、弁室１００（図５）が第１内側円輪壁部５８及び弁室７８と円形底壁８８との間に形成されることになる。
【０１０９】
弁ボール１０２は、当該弁室１００内に所在しており、その目的については、後述する通りである。
【０１１０】
弁ボール１０２は、ポリプロピレンのようなプラスチック素材又は他の水中にて浮上可能な素材とすることが好ましい。
【０１１１】
図１８Ａに示すように、溝穴８０については、下側端にて閉鎖した形態を選択することが可能であり、その場合には、溝穴８０の下端は、浮上弁被覆部８４の環状壁部８６の上端の位置、又は当該位置の上側に配置されている。
【０１１２】
このような変形された実施形態の場合にも、溝穴８０は、弁室７８に収容された水を排出すると共に、操作の最終段階では、弁室７８内への水の進入を防止することもできる。
【０１１３】
しかも、図５に示すように、溝穴８０は、コップ形状の細かい網目を有する網状濾過部１０３によって被覆されることによって、お茶の葉及びコーヒー粉が弁室７８に進入することを防止することが好ましいが、そのような状態であっても、調合に必要な操作が終了した場合には、水を弁室７８から排出することができる。
【０１１４】
網状濾過部１０３の下側端は、側部の場合と同様に、浮上弁被覆部８４の下側面を被覆することができ、しかも中心開口部９２及び中心外開口部９４をも同様の目的にて被覆することができる。
【０１１５】
図１、５、６及び３４〜３８に示すように、被覆遮蔽部１０４は、上側被覆部５０の第２内側円輪壁部６４における注入開口部６９の内側に収容されている。
【０１１６】
被覆遮蔽部１０４はシリコンを素材とすることが好ましい。
【０１１７】
特に、被覆遮蔽部１０４は、中央開口部１０８及び上側表面を形成している環状凹部１１０を有している環状ディスク１０６を備えており、環状凹部１１０は、内側の円周領域から中央開口部１０８に至るまでの領域を形成している。
【０１１８】
環状壁部１１２は、環状ディスク１０６の下側面から中央開口部１０８を囲んだ状態にて下側に伸張しており、しかも当該中央開口部１０８となめらかに接続している中央開口部１１４を備えている。
【０１１９】
下側環状壁部１１６は、環状壁部１１２よりも大きな径を有しており、かつ当該環状壁部１１２と接続すると共に、環状壁部１１２の下側面から中央開口部１１４を囲んだ状態にて下側に延設されており、かつ当該中央開口部１１４と滑らかに接続している中央開口部１１８を備えている。
【０１２０】
下側環状壁部１１６の形状は特に限定される訳ではないが、逆円錐台形が好ましい。
【０１２１】
その結果、下側環状壁部１１６の上側表面には、環状壁部１１２を囲んだ状態にて環状肩部１２０が形成されており、しかも環状凹部１２２が環状ディスク１０６の下側面、環状壁部１１２の円周上の外側表面、及び環状肩部１２０によって形成されている。
【０１２２】
本発明の器具を組み立てる際には、環状ディスク１０６の下側表面は、第２内側円輪壁部６４の上側表面と接合し、第２内側円輪壁部６４における円周状の内側表面６７は、環状ディスク１０６の下側面と環状肩部１２０との間に配置されている環状凹部１２２と接合し、その結果、被覆遮蔽部１０４の位置が上記接合位置によって確定することになる。
【０１２３】
組立の最終段階では、図５、６及び３９〜４４に示すように、水注入チューブ１２４は、上側被覆部５０の環状突起部７０の上端と接続している。
【０１２４】
水注入チューブ１２４は、ガラス材、金属材料、又はポリプロピレンのようなプラスチック材料を素材とすることが好ましい。
【０１２５】
特に、水注入チューブ１２４は流入開口部を形成するための環状固着部１２６を備えており、当該環状固着部１２６は上側部分が切除された状態にあり、しかもその内側領域では、下側の環状表面１３０と内側環状表面１３２とによって形成された内側環状凹部１２８を備えている。
【０１２６】
環状突起部７０は、その外表面が内側環状表面１３２と結合することによって、内側環状凹部１２８を内側として、堅固な状態にて嵌着している。
【０１２７】
しかも、環状突起部７０が嵌着に際し突入する深さは、下側の環状表面１３０と当該環状突起部７０の下側表面とが結合し合う領域に限定されている。
【０１２８】
このように、水注入チューブ１２４は、環状突起部７０に密封された状態にて保持され、かつ容器本体１４内にて下側に延設されている。
【０１２９】
水注入チューブ１２４は、上側の流入開口部を形成するための環状固着部１２６から先細り形状の頸部１３４に至るまで、径が小さくなる状態を呈しているが、このような状態は、下側に伸張している下側環状チューブ部分１３６を限度としており、当該下側環状チューブ部分１３６は、下端において円錐形状の閉鎖部１３８を備えている。
【０１３０】
下側に伸張している下側環状チューブ部分１３６の下端には、直径方向に沿った反対方向に２個の流出開口部１４０が備えられており、加圧によって上側における前記環状固着部１２６から流入した熱湯は、当該流出開口部１４０内を流通することによって、水注入チューブ１２４から中心軸に対し交差する方向に流出している。
【０１３１】
流出開口部は、下側環状チューブ部分１３６の長手方向又は中心軸に対し上側方向、例えば４５度上側に傾斜していることが好ましい。
【０１３２】
このような角度状態によって、飲用液又は調合物は、重力と反対方向の力によって上側に流動し、その後重力によって下降することになる。
【０１３３】
しかも、流出開口部１４０が結合している開口面積が水注入チューブ１２４の入口における開口面積よりも小さいことから、加圧された熱湯は流出開口部１４０から噴出することに帰する。
【０１３４】
前記のような流出開口部１４０の構造によって、加圧された熱湯が容器本体１４内においてお茶の葉を攪拌しかつお茶の葉と混合し得ることは、直ちに把握し得る推移である。
【０１３５】
上記構成の実施形態において、調合飲用物を供給するコップ形状の供給器具１０が、収容室形成用胴部１２内において水を収容し得る容量は、例えば２オンスの代金相当程度である。
【０１３６】
但し、本発明は、このような状態に限定される訳ではない。
【０１３７】
お茶の葉又はコーヒー粉、ココア、ビール、麦芽飲料及び穀物飲料のような調合物は、前記調合用に使用することができる。
【０１３８】
本発明に係る調合飲用物を供給するコップ形状の供給器具１０は、単一製品であって、かつＫＥＵＲＩＧの登録商標の下に販売されているコーヒー焙煎器具のうち、Ｋ−ＣＵＰの登録商標の下に扱われている単一部品に代えて使用することができる。
【０１３９】
水が十分加熱された状態にて、スタートボタンが押された場合には、ＫＥＵＲＩＧ器具による注入噴出口３００（図５）は、既に説明した注入開口部６９の上側に配置されており、水は加圧された状態にて水注入チューブ１２４内に供給される。
【０１４０】
加圧された水は、相互に反対方向にある流出開口部１４０を介して、水注入チューブ１２４から排出されることになる。
【０１４１】
小さな径を有しておりかつ側部に存在する前記流出開口部１４０から排出される熱湯は、必然的に噴射状態にあり、その結果、お茶の葉を攪拌し、かつお茶の葉と混合する。
【０１４２】
注入された注入噴出口３００を注入開口部６９に挿入した場合には、当該水は、加圧されていることから、空気は、注入開口部６９から流出していない。
【０１４３】
加圧された熱湯が収容室形成用胴部１２内にてお茶の葉を攪拌し、かつお茶の葉を激動させることによって、お茶の葉は浸漬されることになる。
【０１４４】
その原因は、前記胴部１２に流入しようとする水の量は、小さな放流開口部４８を介して、当該胴部１２から放流しようとする水の量よりも多いことから、熱湯が前記胴部１２内にて飽和状態となっていることにある。
【０１４５】
換言するならば、放流開口部４８は、調合飲用液が如何なる時期においても、少量の放流状態となるような大きさに設定されており、かつ水注入チューブ１２４の入口の径が放流開口部４８の小さな径よりも明らかに大きいことに由来している。
【０１４６】
このような状況に加えて、お茶の葉の存在は、放流開口部４８からの熱湯の放流に対する障壁を形成しており、その結果、前記胴部１２における熱湯の流入量／排出量という相対的割合を異なった状態とすることに寄与している。
【０１４７】
弁ボール１０２は、当初浮上弁被覆部８４上に配置されており、その結果、切替開口部７６は、外気に対して開放された状態にある。
【０１４８】
但し、前記胴部１２内にて水面が上昇するに従って、弁室７８の上端における空気は前記胴部１２の上側領域を充満せずに、切替開口部７６を介して上側に押圧され、その結果、前記胴部１２の上側部分に対する外気又は蒸気の進入」を防止し、かつ当該胴部１２内における水を必要な量に設定することができる。
【０１４９】
弁室７８内において水面が所定のレベルに至った場合には、浮上弁ボール１０２は、当該水と共に上昇し、シリコンボール弁室７７に対して接触状態に至り、切替開口部７６を閉鎖することになる。
【０１５０】
このような時期においても、加圧された熱湯は前記胴部１２に対する流入を継続している。
【０１５１】
前記胴部１２内が水によって完全に充満された段階では、前記胴部１２内の圧力は、ポンプの押圧力と等しい状態に至っている。
【０１５２】
このように、容器内の圧力が上昇している段階では、当該圧力はお茶の葉から風味を短時間にて抽出することに寄与している。
【０１５３】
しかも、前記胴部１２が加圧され、しかも熱湯によって完全に充満しているというこの段階では、お茶の葉に浸漬した加熱されたお茶が放流開口部４８を介して、前記胴部１２からの外側への放流と同等の割合にて新鮮な熱湯が前記胴部１２内に流入している。
【０１５４】
このような状態によって、所望のお茶を調合することができ、その結果、例えば、１グラス当り８オンス、又は１水差し又はポット当り３２オンスという程度の量にすることができる。
【０１５５】
加圧された熱湯の水注入チューブ１２４を介した注入が終了した場合であっても、熱湯の浸漬を原因とするお茶は、小さな放流開口部４８を介した前記胴部１２からの排出を継続している。
【０１５６】
前記胴部１２内の水面が弁ボール１０２のレベルよりも下側に至った場合には、弁ボール１０２の浮上位置は低下し、更には浮上弁被覆部８４上に配置され、その結果、切替開口部７６は外気に対して開放しているが、そのような開放状態は、残留した水の浸漬によるお茶が重力に従って小さな放流開口部４８を介して重力の作用によって排出されることに寄与することになる。
【０１５７】
以上によって、切替開口部７６、シリコンボール室７７、弁室７８、浮上弁被覆部８４及び弁ボール１０２によって構成されている浮上弁機構を使用することによって、内部の空気の排出及び外部の空気又は蒸気の進入を防止し、かつ前記胴部１２の充填を可能とし、しかも前記胴部１２が満杯となった場合には、切替開口部７６を閉鎖する一方、切替開口部７６の開放によって、水面が所定のレベルにある水を前記胴部１２から落下させることを可能としている。
【０１５８】
即ち、加圧された前記胴部１２においては、水を圧力によってお茶の葉に進入され、極めて短時間のうちに風味を抽出することを可能としている。
【０１５９】
このように、加圧状態にある前記胴部１２は、単に外圧によって、容器又はコップに対し水を供給しているに過ぎない現状のＫＥＵＲＩＧ又はＮＥＳＰＲＥＳＳＯ器具とは、全く作動状態が相違することに注意すべきである。
【０１６０】
前記のように、浮上弁について記載したが、本発明においては、このような浮上弁だけでなく、他の適切な弁の使用も可能である。
【０１６１】
調合飲用物を供給するコップ形状の供給器具１０は、１回限りの使い捨ての容器として使用することができるが、再び使用し得る容器として使用することもできる。
【０１６２】
後者の場合には、使用者は、洗浄し、新しいお茶の葉又は他の調合材料を充満することができる。
【０１６３】
本発明の次の特徴として、噴霧器２００が収容室形成用胴部１２の下端、又は底側被覆部４０、更には図３に示すように、下側の放流開口部４８の真下に設けられており、お茶が小さな放流開口部４８から噴出する際には、噴霧器２００が液状のお茶を小さな噴霧状態に微細化するという機能を発揮している。
【０１６４】
その結果、熱いお茶は、速やかに冷却され、更にはグラス内に氷を収容することができる。
【０１６５】
このような現象は、液滴状態にあるお茶の表面積が大きくなった状態にて周囲の外気中に露出され、その結果、お茶が速やかに冷却されることに由来している。
【０１６６】
更には、お茶が、グラス内に氷を入れる前に相当冷却されることによって、グラス内の氷を完全に溶かさないことに立脚している。
【０１６７】
噴霧器２００は、通常採用されている噴霧器であれば、どのような形態であっても採用することができる。
【０１６８】
例えば、噴霧器２００は、液状飲用物が通過することによって、微細な噴霧状態とするような微細な孔を備えた遮蔽物（図示せず）という単純な構成をも採用することができる。
【０１６９】
このような構成とは別に、例えば、噴霧器２００は、良く知られているベンチュリ効果を利用することもできる。
【０１７０】
その場合には、気体が順次断面積が減少するようなチューブ又はベンチュリ管を所定の圧力の下に噴出される際、噴出速度が上昇し、所謂ベルヌーイの定理によって最も断面積が小さい位置において圧力が低下している。
【０１７１】
このような圧力低下によって、飲用液が存在する場所との圧力の相違が発生し、飲用液は、収容室形成用胴部１２側から吸収されるか、又は前記胴部１２側から流出し、チューブのうちの最も狭い領域を介して流動している気流中に流動し、微細な噴霧状態の液滴となって噴出され、通常使用されている香水に対する噴霧器と同じような状態を呈することになる。
【０１７２】
本発明の特許請求の範囲に基づく技術的範囲においては、色々な変形による形態を採用することができる。
【０１７３】
例えば、上側被覆部５０、環状遮蔽リング５７、被覆遮蔽部１０４、及び水注入チューブ１２４の採用を省略することができる。
【０１７４】
このような場合、ＫＥＵＲＩＧのＫ−ＣＵＰ容器４０６を、図４５に示すように、下側に移行し、かつ容器本体１４内に配置することができる。
【０１７５】
その場合、少なくとも１個の貫通チューブ４００は、突設部４０２によって、容器本体１４から伸張し、かつＫ−ＣＵＰ容器４０６の底壁４０４を貫通することになる。
【０１７６】
通常のＫＥＵＲＩＧの場合と同様に、加圧された熱湯の供給部４１３に接合している注入貫通チューブ４０８は、上側に移行可能な支持部４１０に載置され、かつモータ４１２によって上下方向に移動しており、その結果、注入用供給用開口部を形成し、Ｋ−ＣＵＰ容器４０６の薄型の蓋４１４に対する第１貫通端部を形成し、かつ容器４０６に対し加圧された熱湯を供給することになる。
【０１７７】
しかしながら、本発明に立脚している前記実施形態内おいては、第１の実施形態と同一の構成の浮上弁機構４１５を、上側被覆部５０に載置する代わりに、移動可能な支持部４１０に載置され、かつ下端側において弁開口部を形成し、かつ薄型の蓋４１４に対する第２の貫通端部を形成する貫通チューブ４１６を備えている。
【０１７８】
このような場合、第１の実施形態と同一構成である浮上弁機構４１５は、第２の貫通端部を形成する貫通チューブ４１６が前記蓋４１４を貫通した後には、図４５の点線４１７に示すように、Ｋ−ＣＵＰ容器４０６の内側に配置されることになる。
【０１７９】
このような配列構成の場合には、第１の実施形態と同様の操作が行われる一方、従来製品であるＫ−ＣＵＰ容器を使用することが可能となる。
【０１８０】
前記配列構成の場合には、通常のＫＥＵＲＩＧにおいて再使用可能な籠である補助室を外した状態にて使用することもできる。
【０１８１】
しかも、支持部４１０に対して浮上弁機構４１５を配置する構成の場合には、補助室が部品となっているＫ−ＣＵＰと一体となっているＫＥＵＲＩＧ容器だけを通常の場合と同様に使用することができる。
【０１８２】
更には、第１の実施形態の上側被覆部５０における浮上弁機構を除外したうえで、図４５に示すように、当該浮上弁機構４１５を支持部４１０に配置するように変形することもできる。
【０１８３】
このような場合、上側被覆部５０は、図１の点線に示すような大きな切替開口部４１８を有しており、かつ当該開口部を介して、支持部４１０に対して浮上弁機構４１５が配置され、しかも上側被覆部５０の切替開口部４１８の周辺を遮蔽し、空気は浮上弁機構４１５を介して流動することができる。
【０１８４】
調合飲料供給用のコップ形状の供給器具の上側領域における空気は、最初の熱湯の充満時期に外部に流出し、かつ、熱湯が完全に充満した場合には、当該供給器具から排出されている。
【０１８５】
その結果、熱湯が充満している段階では、空気又は蒸気の供給器具又は包装体の状態への進入」を遮蔽することができる。
【０１８６】
このような作用効果を第１の実施形態において実現するためには、弁機構における浮上弁が供給器具又は包装体の上側領域に配置されていることを必要不可欠とする。
【０１８７】
しかしながら、図４６に示す実施形態の場合には、弁機構を採用せずとも、同一の作用効果を達成することができる。
【０１８８】
具体的に説明するに、環状の閉じた壁部５００が収容室形成用胴部１２を囲んだ状態にて配置されており、かつ当該壁部５００と前記胴部１２との間にて薄い環状の空気室５０２が形成されることによって、外気に対して開放していない閉鎖状態を実現することができる。
【０１８９】
そして、前記胴部１２の上側壁部に第３開口部５０４が設定された場合には、前記胴部１２の内側空間と空気室５０２との間を流通可能な状態とすることができる。
【０１９０】
このような構造によって、前記胴部１２が熱湯によって充満した場合には、前記胴部１２内の空気は、強制的に第３開口部５０４を介して空気室５０２に移動せざるを得ないことになる。
【０１９１】
空気室５０２の空間領域の寸法については、水面が第３開口部５０４のレベルに至った場合には、空気室５０２内の空気が圧縮され、しかも水の充満に基づく圧力と等しい圧力となるように選択されており、これらの選択によって、空気室５０２内の圧縮された空気によって第３開口部５０４を介した水の進入は防止される。
【０１９２】
その結果、水が前記胴部１２を充満した場合には、第１の実施形態の場合と同様に、収容室内の圧力が上昇し、水が短時間のうちにお茶の葉の風味をより一層効率的に抽出することができる。
【０１９３】
しかも、前記胴部１２が加圧され、かつ熱湯によって完全に充満された場合には、焙煎された熱いお茶は、新たな熱湯が前記胴部１２に進入することに対応して、小さな放流開口部４８を介して、前記胴部１２からの放流を継続することになる。
【０１９４】
このような継続によって、所望の量のお茶を焙煎し、その結果、１個のグラス当り８オンス又は１個の水差し又はポット当り３２オンスに相当する程度の量を排出することができる。
【０１９５】
加熱された熱湯が水注入チューブ１２４への注入が中止された場合であっても、焙煎されたお茶の放流開口部４８を介した放流が継続している。
【０１９６】
収容室形成用胴部１２内の水面が下降した場合には、前記胴部１２内の圧力よりも、空気室５０２の圧力の方が大きいことを原因として、第３開口部５０４を介して、空気が再び前記胴部１２内に流入する。
【０１９７】
このような現象は、残留している焙煎茶が重力によって放流開口部４８を介して外部に放流することに寄与することになる。
【０１９８】
空気室５０２の存在によって、空気が当該空気室５０２内に流入することによって、収容室形成用胴部１２が充満状態にある場合に、空気又は蒸気の進入」を遮蔽することができる。
【０１９９】
しかも、第１の実施形態の場合と同様に、加圧された収容室においては、水が短期間のうちにお茶の葉から風味を抽出することを可能としている。
【０２００】
空気が出入りする上記第３開口部５０４が存在したところで、前記胴部１２の全領域における上記風味の抽出という作用に格別の影響を与える訳ではない。
【０２０１】
勿論、空気室５０２は、異なる位置に配設することも可能であって、例えば収容室形成用胴部１２の内側面、又は上側円輪壁部５２の下側面の下側の一部、又は当該上側円輪壁部５２の上側表面の上側の一部、更には他の適当な場所に配設することも可能である。
【０２０２】
添付図面に即して、各好ましい実施形態について、以上のとおり説明したが、本発明は、これらの個別の実施形態に限定される訳ではなく、当業者においては、後述する特許請求の範囲によって構成される発明の技術的範囲又は基本的技術思想の範囲内にて、様々な変形及び修正による構成を採用することができる。
【産業上の利用可能性】
【０２０３】
このように、本発明に係る既存のＫＥＵＲＩＧによる装置において、既存のＫ−ＣＵＰの容器の技術的問題点を十分克服したうえで、効率的に飲用物の素材から風味を抽出することが可能であって、その利用価値は絶大である。
【符号の説明】
【０２０４】
１０    調合飲料供給器具
１２    収容室形成用胴部
１４    容器本体
１５    主胴部
１６    上側環状壁部
１７    薄型同心円状のリング
１８    上側環状肩部
１９    収容室
２０    結合突条
２２    下側環状壁部
２４    下側環状肩部
２６    結合突条
２８    十文字形状の骨状構造物
３０    中心部
３２    底壁
３４    濾過用ディスク
３６    中央開口部
４０    底側被覆部
４２    下側環状接続壁部
４４    螺旋状接続部
４６    円錐台形状壁部
４８    放流開口部
４９    環状ガイド壁部
５０    上側被覆部
５１    環状領域
５２    上側円輪壁部
５４    環状スカート部
５６    結合突条
５７    環状遮蔽リング
５８    第１内側円輪壁部
６０    内側円周状端部
６２    環状壁部
６４    第２内側円輪壁部
６６    内側円周状端部
６７    内側表面
６８    環状壁部
６９    注入開口部
７０    環状突起部
７１    肩部
７２    切り込み部
７４    湾曲部分
７６    切替開口部
７７    シリコンボール室
７８    弁室
７９    中央開口部
８０    溝穴
８１    環状板
８２    円輪状鍔部
８３    環状スカート
８４    浮上弁被覆部
８５    拡大開口部
８６    環状壁部
８７    円周状凹部
８８    円形底壁
９０    円輪状周囲突条
９２    中心開口部
９４    中心外開口部
１００  弁室
１０２  弁ボール
１０３  網状濾過部
１０４  被覆遮蔽部
１０６  環状ディスク
１０８  中央開口部
１１０  環状凹部
１１２  環状壁部
１１４  中央開口部
１１６  下側環状壁部
１１８  中央開口部
１２０  環状肩部
１２２  環状凹部
１２４  水注入チューブ
１２６  流入開口部を形成するための環状固着部
１２８  内側環状凹部
１３０  下側の環状表面
１３２  内側環状表面
１３４  頸部
１３６  下側環状チューブ部分
１３８  円錐形状の閉鎖部
１４０  流出開口部
２００  噴霧器
３００  注入噴出口
４００  貫通チューブ
４０２  突設部
４０４  底壁
４０６  Ｋ−ＣＵＰ容器
４０８  注入用供給用開口部を形成し、かつ第１の貫通端部を形成する貫通チューブ
４１０  支持部
４１２  モータ
４１３  熱湯の供給部
４１４  蓋
４１５  浮上弁機構
４１６  弁開口部を形成し、かつ第２の貫通端部を形成する貫通チューブ
４１８  切替開口部
５００  環状の閉じた壁部
５０２  空気室
５０４  第３開口部
【図１】
2017506088.tif 000003
【図２】
2017506088.tif 000004
【図３】
2017506088.tif 000005
【図４】
2017506088.tif 000006
【図５】
2017506088.tif 000007
【図６】
2017506088.tif 000008
【図７】
2017506088.tif 000009
【図８】
2017506088.tif 000010
【図９】
2017506088.tif 000011
【図１０】
2017506088.tif 000012
【図１１】
2017506088.tif 000013
【図１２】
2017506088.tif 000014
【図１３】
2017506088.tif 000015
【図１４】
2017506088.tif 000016
【図１５】
2017506088.tif 000017
【図１６】
2017506088.tif 000018
【図１７】
2017506088.tif 000019
【図１８】
2017506088.tif 000020
【図１８Ａ】
2017506088.tif 000021
【図１９】
2017506088.tif 000022
【図２０】
2017506088.tif 000023
【図２１】
2017506088.tif 000024
【図２２】
2017506088.tif 000025
【図２３】
2017506088.tif 000026
【図２４】
2017506088.tif 000027
【図２５】
2017506088.tif 000028
【図２６】
2017506088.tif 000029
【図２７】
2017506088.tif 000030
【図２８】
2017506088.tif 000031
【図２９】
2017506088.tif 000032
【図３０】
2017506088.tif 000033
【図３１】
2017506088.tif 000034
【図３２】
2017506088.tif 000035
【図３３】
2017506088.tif 000036
【図３４】
2017506088.tif 000037
【図３５】
2017506088.tif 000038
【図３６】
2017506088.tif 000039
【図３７】
2017506088.tif 000040
【図３８】
2017506088.tif 000041
【図３９】
2017506088.tif 000042
【図４０】
2017506088.tif 000043
【図４１】
2017506088.tif 000044
【図４２】
2017506088.tif 000045
【図４３】
2017506088.tif 000046
【図４４】
2017506088.tif 000047
【図４５】
2017506088.tif 000048
【図４６】
2017506088.tif 000049
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
加圧及び加熱された飲用液を供給するために注入噴出口を備えると共に、
調合用の素材を保持する収容室を形成している容器本体を備え、
当該容器本体が、下側における調合飲用液を放流する放流開口部、容器本体に対し加圧及び加熱された飲用液を供給するための前記注入噴出口の近傍の位置に配置された注入開口部、前記収容室を加圧及び加熱された飲用液が充満した際に、当該収容室から空気が流出するための第３開口部、及び当該収容室と流通自在にて接続し、かつ当該収容室が加圧及び加熱された飲用液によって少なくとも殆ど完全に充満され、しかも加圧及び加熱された飲用液の当該収容室に対する充満によって、当該空気が当該収容室の上側部分から流出することによって、当該収容室内における圧力の加圧状態の増加を原因として、飲用液が前記第３開口部を介して、当該収容室から流出することを防止するための機構を備えている容器タイプのコーヒー焙煎器具として使用し得るコップ形状の調合飲料供給器具。
【請求項２】
加圧及び加熱された飲用液が調合操作の最終段階にて、前記収容室から落下する際に、空気が当該収容室内に流入していることを特徴とする請求項１記載のコップ形状の調合飲料供給器具。
【請求項３】
容器本体における前記収容室における第３開口部と流通可能状態にある閉鎖した空気室を備えており、当該収容室を加圧及び加熱された飲用液が充満する際に、当該閉鎖された空気室に空気が当該収容室の上側部分から流入し、かつ次第に加圧された状態と化していることを特徴とする請求項１記載のコップ形状の調合飲料供給器具。
【請求項４】
密閉した空気室は、容器本体を囲んだ状態にて環状壁部を備えていることを特徴とする請求項３記載のコップ形状の調合飲料供給器具。
【請求項５】
前記供給器具が容器本体の上端を密閉するための上側被覆部を備えており、当該上側被覆部は、収容室と周囲の外気とを流通可能な状態にて結合している第３開口部、当該第３開口部と結合している弁機構を備えており、当該弁機構は、前記収容室が加圧及び加熱された飲用液によって少なくとも予め設定したレベルまで充満された場合には第３開口部を閉鎖し、加圧及び加熱された飲用液が前記収容室から落下することによって予め設定したレベル未満となった場合には、第３開口部を開いた状態としていることを特徴とする請求項１記載のコップ形状の調合飲料供給器具。
【請求項６】
前記弁機構が上側被覆部と接続していることを特徴とする請求項５記載のコップ形状の調合飲料供給器具。
【請求項７】
前記弁機構は、弁室を備えており、しかもお茶の葉、コーヒー粉が当該弁室に進入することを防ぐ一方、調合の全工程が終了した場合には、飲用液が当該弁室から流出することを可能とするような遮蔽部を備えていることを特徴とする請求項５記載のコップ形状の調合飲料供給器具。
【請求項８】
弁機構が第３開口部の近傍に配置されている弁室を備えた浮上弁機構であって、当該浮上弁機構においては、弁室内にて移動自在の弁ボール及び当該弁ボールを保持し、かつ弁室に調理飲用液の流入及び流出を可能とするような保持部が備えられており、当該保持部によって、加圧及び加熱された飲用液が予め設定したレベルに至った場合には、弁ボールが第３開口部を閉鎖するために浮上し、加圧及び加熱された飲用液が落下し、かつ予め設定されたレベル未満となった場合には、弁ボールが第３開口部を開放するために沈下することを特徴とする請求項５記載のコップ形状の調合飲料供給器具。
【請求項９】
前記供給器具が容器本体の上端を密閉するための上側被覆部を備えており、当該上側被覆部は、収容室と周囲の外気とを流通可能な状態にて結合している第３開口部及び注入開口部を備えると共に、前記供給器具が前記上側被覆部と接続し、かつ下側の収容室に延設されている細長形状の飲用液注入用チューブを備えており、当該飲用液注入用チューブは、上側被覆部の注入開口部と連通可能状態にて接続している流入開口部を備えると共に、収容室内にて延設されることによって、少なくとも１個の流出開口部を備えていることを特徴とする請求項１記載のコップ形状の調合飲料供給器具。
【請求項１０】
少なくとも１個の流出開口部として反対方向に２個の状態にて配置されていることを特徴とする請求項９記載のコップ形状の調合飲料供給器具。
【請求項１１】
流出開口部が上側に向かうような角度方向であることを特徴とする請求項９記載のコップ形状の調合飲料供給器具。
【請求項１２】
流出開口部が流入開口部よりも小さな径を有していることを特徴とする請求項１記載のコップ形状の調合飲料供給器具。
【請求項１３】
容器本体の下端側であり、かつ放流開口部の上側に当該放流開口部を介して調合物が通過することを防止するための濾過部材が備えられていることを特徴とする請求項１記載のコップ形状の調合飲料供給器具。
【請求項１４】
容器本体の下端側には先細り形状の壁部が備えられており、容器本体から放流開口部に調合飲用液が放流されていることを特徴とする請求項１記載のコップ形状の調合飲料供給器具。
【請求項１５】
前記流出開口部の下に、調合飲用液を冷却するために、当該流出開口部を介して容器本体から噴出された調合飲用液を噴霧化するための噴霧器を備えていることを特徴とする請求項１記載のコップ形状の調合飲料供給器具。
【請求項１６】
加圧及び加熱された飲用液を供給するための注入噴出口を有すると共に、調合用素材を収容する収容室を形成している容器本体を備え、当該容器本体が、下端側における調合飲用液を放流するための放流開口部、加圧及び加熱された飲用液を供給するための注入噴出口に比較的近い位置に設定された注入開口部及び放流開口部の下側の位置における当該放流開口部を介して放流された調合飲用液を冷却するための当該調合飲用液をより小さな粒子状態とすることによって微細化するための噴霧器をそれぞれ備えている容器タイプのコーヒー焙煎器具として使用し得るコップ形状の調合飲料供給器具。
【請求項１７】
コーヒー焙煎器具が、加圧及び加熱された飲用液の供給源及び移動可能な支持部を備え、前記器具の注入噴出口が移動可能な支持部及び加圧及び加熱された飲用液の供給源と接続し、かつ第１の開口部を形成しており、前記供給源から加圧及び加熱された飲用液は、単一の供給容器における注入用供給開口部を介して前記器具内において調合物を収容している収容室に供給され、
弁機構は、移動可能な支持部に接続しており、しかも加圧及び加熱された飲用液が収容室内にて少なくとも予め設定されたレベルに至るまで充満した場合には、収容室内の飲用液が当該第２開口部を介して流出することを防止するために、当該収容室が加圧及び加熱された飲用液によって少なくとも殆ど完全に充満され、しかも加圧及び加熱された飲用液の当該収容室に対する充満によって、当該空気が当該収容室の上側部分から流出することによって、当該収容室内における圧力の加圧状態の増加を原因として、当該弁機構が単一の供給容器内における弁開口部を閉鎖するように作用し、当該加圧及び加熱された飲用液が収容室内から落下し、予め設定されたレベル未満に至った場合には、当該弁開口部を開放するように作用しており、
移動可能な支持部は、第１の操作位置と第２の操作位置との間を移動するような機構を採用し、
第１の操作位置においては、注入噴出口が注入用供給開口部を介して加圧及び加熱された飲用液を供給し、かつ弁機構が弁開口部を介して収容室内に移動しており、第２の操作位置においては、注入噴出口が注入用供給開口部から撤去され、かつ弁機構が収容室から撤去されており、
放流開口部が収容室から調合飲用液が流出するために設けられている調合物を収容している単一の供給器具を採用している容器タイプのコーヒー焙煎器具。
【請求項１８】
単一の供給容器は、注入用供給開口部及び弁開口部を有する上側部を備えていることを特徴とする請求項１７記載の容器タイプのコーヒー焙煎器具。
【請求項１９】
単一の供給容器は、貫通する上側部を備えており、注入噴出口は、移動可能な支持部が第１の操作位置に移動した際に、注入用供給開口部を形成するために前記上側部が貫通するための第１の貫通端部を備えており、弁機構は、移動可能な支持部が第１の操作位置に移動した際に、弁開口部を形成するために前記上側部が貫通するための第２の貫通端部を備えていることを特徴とする請求項１７記載の容器タイプのコーヒー焙煎器具。
【請求項２０】
調合飲用液を放流開口部を介して排出するために、容器が器具内にて流出開口部を形成するような位置にある場合には、当該容器の底部を貫通する流出用貫通チューブを少なくとも１個備えていることを特徴とする請求項１７記載の容器タイプのコーヒー焙煎器具。
【請求項２１】
単一の前記容器を支持するための収容室を設けており、当該収容室は、調合用飲用液を放流用開口部を介して排出するために、前記容器が前記収容室内において、流出開口部を形成し得るような位置にある場合には、容器の底部を貫通する流出用貫通チューブを少なくとも１個備えていることを特徴とする請求項１７記載の容器タイプのコーヒー焙煎器具。
【手続補正２】
【補正対象書類名】明細書
【補正対象項目名】全文
【補正方法】変更
【補正の内容】
【発明の詳細な説明】
【技術分野】
【０００１】
本発明は、通常の容器タイプのコーヒー焙煎器具に関するものであり、特にお茶、コーヒー、ココア、ビール、麦芽飲料、及び穀物飲料の調合に使用可能であって、当該容器タイプのコーヒー焙煎器具としても使用可能であるコップ形状の調合飲料供給器具を対象としている。
【背景技術】
【０００２】
「ＫＥＵＲＩＧ」という登録商標の下に、コーヒーを調合する供給器具の単体は、極めて人気のある製品である。
【０００３】
当該器具は、単一部品である容器又はＫ−ＣＵＰという登録商標の下に販売されている供給容器又は包装体を使用している。
【０００４】
何れの包装体も、コーヒーのような調合飲料を収容し、かつ上側の開放端において気密状態となっている薄板の蓋を使用している。
【０００５】
同じような器具は、「ＮＥＳＰＲＥＳＳＯ」の商標の下に販売されている。
【０００６】
このような包装体が、１個の調合用器具内に配置された場合には、調合用器具は、噴霧用ノズルの作用によって包装体の薄板に突入し、かつ放出用ノズルによって包装体の底壁から突出することになる。
【０００７】
そして、コーヒー粉は包装体内に保持されている。
【０００８】
加圧及び加熱された水が噴霧用ノズルを介して供給された場合には、コーヒー粉と混合した後、放出用ノズルを介して、当該放出用ノズルの下側にて飲用者にて配置されたコーヒー飲用器具の側に噴出する。
【０００９】
しかしながら、このような作動の場合には、噴出ノズルによって開設された出口用の穴は、基本的に噴霧用ノズルによって開設された穴と同程度の大きさであって、加熱水は包装体中において、所定の部位に浸漬したり貯留する時間を設定することができない。
【００１０】
換言するならば、加熱水は、コーヒー粉が存在する場所を速やかに流通し、かつ出口として開設された穴を通過することにならざるを得ない。
【００１１】
しかも、加熱水が包装体に流入する際には、当該包装体内において気泡が発生する。
【００１２】
然るに、加熱水は、薄板の蓋において開口された入口から供給されるため、前記気泡が脱出する場所がない。
【００１３】
その結果、気泡が集合している場所は、更に加熱水が包装体内を上昇することによって、全コーヒー粉と適当に混合することを妨害し、更には余分な圧力の発生によって、加熱水を噴出用ノズルによって開口された出口から速やかに排出させることになる。
【００１４】
Ｋ−ＣＵＰの商標の下に売られている包装体は、コーヒーの使用に加えて、お茶を煎じるためのお茶の葉、熱いココア飲料を調合するためのココア、果汁飲料を調合するための果実の原材料を収容している。
【００１５】
前記ＫＥＵＲＩＧシステムは、商標ＭＹ  Ｋ−ＣＵＰの下に販売された調合物を注入し、かつ充満することができるフィルター付きの再使用可能な容器又は籠をも備えている。
【００１６】
前記容器又は籠においては、頂部は常に開口しており、しかも器具の注入用ノズルを挿入することができ、しかも側部において大気圧を有している内部と流通自在状態にて接続している空気孔を備えている。
【００１７】
前記籠の底は、少なくとも１個の排出用の開口部を有しており、しかも頂部側の注入用の開口部よりも大きな面積を有している。
【００１８】
その結果、更なる開口は不要である。
【００１９】
このような前記ＫＥＵＲＩＧによる装置を適切に作動させるためには、付属している収容器具を最初に外さなければならない。
【００２０】
しかしながら、前記籠の場合には、注入開口部よりも出口の開口部の方が大きく、しかも前記空気通気孔が存在することを原因として、前記籠に流入された加熱水は、速やかに放出用の開口部を通過し、内部に浸潤したり又は貯留する時間は極めて少ない状況にある。
【００２１】
従って、上記システムにおいては、加熱水は必ずしも前記容器又は前記籠という包装体の素材から風味を充分抽出している訳ではない。
【００２２】
その原因は、当該加熱水は、包装体を構成する容器内の素材から風味を抽出するために十分な時間を伴わずに、速やかに当該容器に流入し、かつ流出していることにある。
【００２３】
特に、加熱水が長時間接触する必要があるお茶の葉の場合には、このような技術上の欠陥が著しいという状況にある。
【００２４】
Ｋ−ＣＵＰの商標名を使用した包装体の使用を伴うＫＥＵＲＩＧシステムとは異なる構成として、特許文献１及び同２に示すような公知技術が存在する。
【００２５】
特許文献１の場合においては、調合物を収容した第１収容室（１２）が調合機（１００）において調合を行う第２の収容室（１８）を囲んだ状態にて配置され、双方の収容室は相互に流通可能な状態に設定されており、調合された飲用物は、第２の収容室（１８）の底部における放出加工部（５９）が放出されている。
【００２６】
しかしながら、調合機（１００）による調合作用は極めて非効率的であり、しかも2個の収容室を必要とする特許文献１の構成は、取扱い上極めて不都合であって、前記ＫＥＵＲＩＧシステムと異なる技術上のデメリットが存在する。
【００２７】
特許文献２においては、容器４内の炭酸ガス供給源４１から導管３１を介して貯蔵器１１に当該炭酸ガスを供給する一方、当該貯蔵器１１内に弁２１を介して供給された飲用液と炭酸ガスとの混合が行われ、炭酸ガスが溶解した飲用液は、ポンプ１３によって、弁２１を介して、容器室３に流動している。
【００２８】
これらの一連の作動は、制御装置５によって制御されているが、特許文献２の構成は所謂コーヒー焙煎器具ではなく、しかも装置全体が極めて複雑であって、決してＫＥＵＲＩＧシステムに対する技術的改良点を開示及び示唆している訳ではない。
【先行技術文献】
【特許文献】
【００２９】
【特許文献１】ＷＯ２０１１／１３８４０５Ａ１公報
【特許文献２】ＵＳ２０１１／０２２６３４３Ａ１公報
【発明の概要】
【発明が解決しようとする課題】
【００３０】
前記背景技術の状況に鑑み、本発明は、前記問題点を克服することができる容器タイプのコーヒー焙煎器具として使用するためのコップ形状の調合飲料供給器具を提供すること、
水を調合物中に加圧によって進入させ、特に当該物がお茶の葉である場合に、当該お茶の葉から風味を適切に抽出する前記供給器具を提供すること、
加熱水の充満が開始された段階にて空気が当該供給器具から散逸可能である一方、当該加熱水の充満が終了した場合には、空気が当該供給器具又は包装体を加圧しながら流動するような前記調合可能な供給器具をも提供すること、
加熱水が充満している段階では、前記供給器具又は包装体の上端を空気又は蒸気の進入を防止し得る前記供給器具を提供すること、
当該供給器具又は包装体に流入した加熱水による攪拌状態、乱流状態に基づいて、当該加熱水と飲用物の素材との混合を改善し、当該素材から風味を適切に抽出するような前記供給器具を提供することをも課題とし、
更には、製造及び使用が容易、かつ安価に実現できる前記供給器具を提供することをも課題としている。
【課題を解決するための手段】
【００３１】
上記課題を考慮し、本発明の基本構成は、
加圧及び加熱された飲用液を供給するために注入噴出口を備えると共に、
調合用の素材を保持する収容室を形成している容器本体を備え、
当該容器本体が、下側における調合飲用液を放流する放流開口部、容器本体に対し加圧及び加熱された飲用液を供給するための前記注入噴出口の近傍の位置に配置された注入開口部、前記収容室を加圧及び加熱された飲用液が充満した際に、当該収容室から空気が流出するための第３開口部、及び当該収容室と流通自在にて接続し、かつ当該収容室が加圧及び加熱された飲用液によって少なくとも殆ど完全に充満され、しかも加圧及び加熱された飲用液の当該収容室に対する充満によって、当該空気が当該収容室の上側部分から流出することによって、当該収容室内における圧力の加圧状態の増加を原因として、飲用液が前記第３開口部を介して、当該収容室から流出することを防止するための機構を備えている容器タイプのコーヒー焙煎器具として使用し得るコップ形状の調合飲料供給器具、
からなる。
【００３２】
前記基本構成においては、加圧及び加熱された飲用液が調合操作の最終段階にて、前記収容室から落下する際に、空気が当該収容室内に流入している。
【００３３】
前記基本構成の実施形態においては、容器本体における前記収容室における第３開口部と流通可能状態にある閉鎖した空気室を備えており、当該収容室を加圧及び加熱された飲用液が充満する際に、当該閉鎖された空気室に空気が当該収容室の上側部分から流入し、かつ次第に加圧された状態と化している。
【００３４】
しかも、密閉した空気室は、容器本体を囲んだ状態にて環状壁部を備えていることが好ましい。
【００３５】
他の実施形態においては、前記供給器具は、容器本体の上端を密閉するための上側被覆部を備えており、当該上側被覆部は、収容室と周囲の外気とを流通可能な状態にて結合している第３開口部を備えている。
【００３６】
しかも、前記実施形態は、第３開口部と結合している弁機構を備えており、当該弁機構は、前記収容室が加圧及び加熱された飲用液によって少なくとも予め設定したレベルまで充満された場合には第３開口部を閉鎖し、加圧及び加熱された飲用液が前記収容室から落下することによって予め設定したレベル未満となった場合には、第３開口部を開いた状態としている。
【００３７】
前記実施形態においては、前記弁機構が上側被覆部と接続していることが好ましい。
【００３８】
前記弁機構は、弁室を備えており、しかもお茶の葉、コーヒー粉が当該弁室に進入することを防ぐ一方、調合の全工程が終了した場合には、飲用液が当該弁室から流出することを可能とするような遮蔽部を備えている。
【００３９】
特に、弁機構が第３開口部の近傍に配置されている弁室を備えた浮上弁機構であることが好ましい。
【００４０】
上記浮上弁機構においては、弁室内にて移動自在の弁ボール及び当該弁ボールを保持し、かつ弁室に調理飲用液の流入及び流出を可能とするような保持部が備えられており、当該保持部によって、加圧及び加熱された飲用液が予め設定したレベルに至った場合には、弁ボールが第３開口部を閉鎖するために浮上し、加圧及び加熱された飲用液が落下し、かつ予め設定されたレベル未満となった場合には、弁ボールが第３開口部を開放するために沈下する。
【００４１】
本発明の供給器具は、前記上側被覆部と接続し、かつ下側の収容室に延設されている細長形状の飲用液注入用チューブを備えており、当該飲用液注入用チューブは、上側被覆部の注入開口部と連通可能状態にて接続している流入開口部を備えると共に、収容室内にて延設されることによって、少なくとも１個の流出開口部を備えている。
【００４２】
特に、少なくとも１個の流出開口部として反対方向に２個の状態にて配置されていることが好ましく、しかも流出開口部が上側に向かうような角度方向であることが更に好ましい。
【００４３】
流出開口部は、流入開口部よりも小さな径を有している。
【００４４】
容器本体の下端側であって、かつ放流開口部の上側には、当該放流開口部を介して調合物が通過することを防止するための濾過部材が備えられている。
【００４５】
容器本体の下端側には先細り形状の壁部が備えられており、容器本体から放流開口部に調合飲用液が放流されている。
【００４６】
更には、前記流出開口部の下に、調合飲用液を冷却するために、当該流出開口部を介して容器本体から噴出された調合飲用液を噴霧化するための噴霧器を備えている。
【００４７】
本発明における別の基本構成は、
加圧及び加熱された飲用液を供給するための注入噴出口を有すると共に、調合用素材を収容する収容室を形成している容器本体を備え、当該容器本体が、下端側における調合飲用液を放流するための放流開口部、加圧及び加熱された飲用液を供給するための注入噴出口に比較的近い位置に設定された注入開口部及び放流開口部の下側の位置における当該放流開口部を介して放流された調合飲用液を冷却するための当該調合飲用液をより小さな粒子状態とすることによって微細化するための噴霧器をそれぞれ備えている容器タイプのコーヒー焙煎器具として使用し得るコップ形状の調合飲料供給器具、及び 
コーヒー焙煎器具が、加圧及び加熱された飲用液の供給源及び移動可能な支持部を備え、前記器具の注入噴出口が移動可能な支持部及び加圧及び加熱された飲用液の供給源と接続し、かつ第１の開口部を形成しており、前記供給源から加圧及び加熱された飲用液は、単一の供給容器における注入用供給開口部を介して前記器具内において調合物を収容している収容室に供給され、
弁機構は、移動可能な支持部に接続しており、しかも加圧及び加熱された飲用液が収容室内にて少なくとも予め設定されたレベルに至るまで充満した場合には、収容室内の飲用液が当該第２開口部を介して流出することを防止するために、当該収容室が加圧及び加熱された飲用液によって少なくとも殆ど完全に充満され、しかも加圧及び加熱された飲用液の当該収容室に対する充満によって、当該空気が当該収容室の上側部分から流出することによって、当該収容室内における圧力の加圧状態の増加を原因として、当該弁機構が単一の供給容器内における弁開口部を閉鎖するように作用し、当該加圧及び加熱された飲用液が収容室内から落下し、予め設定されたレベル未満に至った場合には、当該弁開口部を開放するように作用しており、
移動可能な支持部は、第１の操作位置と第２の操作位置との間を移動するような機構を採用し、
第１の操作位置においては、注入噴出口が注入用供給開口部を介して加圧及び加熱された飲用液を供給し、かつ弁機構が弁開口部を介して収容室内に移動しており、第２の操作位置においては、注入噴出口が注入用供給開口部から撤去され、かつ弁機構が収容室から撤去されており、
放流開口部が収容室から調合飲用液が流出するために設けられている調合物を収容している単一の供給器具を採用している容器タイプのコーヒー焙煎器具、
からなる。
【００４８】
このような別の基本構成においては、容器タイプのコーヒー焙煎器具は、調合物を収容している単一の供給容器を使用しており、しかも当該器具は、加圧及び加熱された飲用液の供給源及び移動可能な支持部を備えている。
【００４９】
前記器具の注入噴出口は、移動可能な支持部及び加圧及び加熱された飲用液の供給源と接続しており、前記供給源から加圧及び加熱された飲用液は、単一の供給容器における注入用供給開口部を介して前記器具内において調合物を収容している収容室に供給されている。
【００５０】
弁機構は、移動可能な支持部に接続されており、かつ加圧及び加熱された飲用液が収容室内にて少なくとも予め設定されたレベルに至るまで充満した場合には、単一の供給容器内における弁開口部を閉鎖するように作用し、当該加圧及び加熱された飲用液が収容室内から落下し、予め設定されたレベル未満に至った場合には、当該弁開口部を開放するように作用している。
【００５１】
移動可能な支持部は、第１の操作位置と第２の操作位置との間を移動するような機構を採用している。
【００５２】
第１の操作位置においては、注入噴出口が注入用供給開口部を介して加圧及び加熱された飲用液を供給し、かつ弁機構が弁開口部を介して収容室内に移動しており、第２の操作位置においては、注入噴出口が注入用供給開口部から撤去され、かつ弁機構が収容室から撤去されている。
【００５３】
放流開口部は、収容室から調合飲用液が流出するために設けられている。
【００５４】
容器タイプのコーヒー焙煎容器の第１の実施形態においては、単一の供給容器は、注入用供給開口部及び弁開口部を有する上側部を備えている。
【００５５】
容器タイプのコーヒー焙煎器具の第２の実施形態においては、単一の供給容器は、貫通する上側部を備えており、注入噴出口は、移動可能な支持部が第１の操作位置に移動した際に、注入用供給開口部を形成するために前記上側部が貫通するための第１の貫通端部を備えており、弁機構は、移動可能な支持部が第１の操作位置に移動した際に、弁開口部を形成するために前記上側部が貫通するための第２の貫通端部を備えている。
【００５６】
容器タイプのコーヒー焙煎器具の第２の実施形態の変形構成においては、調合飲用液を放流開口部を介して排出するために、容器が器具内にて流出開口部を形成するような位置にある場合には、当該容器の底部を貫通する流出用貫通チューブを少なくとも１個備えている。
【００５７】
容器タイプのコーヒー焙煎器具の第２の実施形態の更なる変形構成においては、前記単一の容器を支持するための収容室を設けており、当該収容室は、調合用飲用液を放流用開口部を介して排出するために、前記容器が前記収容室内において、流出開口部を形成し得るような位置にある場合には、容器の底部を貫通する流出用貫通チューブを少なくとも１個備えている。
【発明の効果】
【００５８】
本発明の以上の特徴点及び更なる特徴点は、図面に基づく後述の説明によって更に一層明らかにすることができるが、これらの特徴点によって、本発明は、背景技術の項において前述した従来技術の問題点を克服することができる。
【図面の簡単な説明】
【００５９】
【図１】本発明に基づく調合飲用物を供給するコップ形状の供給器具の頂部に対する斜視図である。
【図２】前記供給器具の底部に対する斜視図である。
【図３】噴霧器を備えている前記供給器具の側面図である。
【図４】底側被覆部を除外した場合の前記供給器具の底部に対する斜視図である。
【図５】図１の５−５のラインに沿った前記供給器具の断面図である。
【図６】図１の６−６のラインに沿った前記供給器具の断面図である。
【図７】前記供給器具における容器本体の頂部に対する斜視図である。
【図８】容器本体の底部に対する斜視図である。
【図９】容器本体の側面図である。
【図１０】容器本体の頂部に対する平面図である。
【図１１】容器本体の底部に対する平面図である。
【図１２】前記供給器具における底側被覆部の頂部に対する斜視図である。
【図１３】前記供給器具における底側被覆部の底部に対する斜視図である。
【図１４】底側被覆部の側面図である。
【図１５】底側被覆部の頂部に対する平面図である。
【図１６】底側被覆部の底部に対する平面図である。
【図１７】前記供給器具における部被覆部の頂部に対する斜視図である。
【図１８】前記供給器具における頂部被覆部の底部に対する斜視図である。
【図１８Ａ】前記供給器具において変形された頂部被覆部の底部に対する斜視図である。
【図１９】図１８とは異なる角度から描いた頂部被覆部の底部に対する斜視図である。
【図２０】図１８に示す頂部被覆部の側面図である。
【図２１】図１８に示す頂部被覆部の頂部に対する平面図である。
【図２２】図１８に示す頂部被覆部の底部に対する平面図である。
【図２３】前記供給器具における環状の遮蔽器具に対する斜視図である。
【図２４】前記供給器具におけるシリコン製のボール収容物の頂部に対する斜視図である。
【図２５】前記供給器具におけるシリコン製のボール収容物の底部に対する斜視図である。
【図２６】図２７の２６−２６のラインに沿ったシリコン製のボールの収容室の断面図である。
【図２７】シリコン製ボールの収容室の頂部に対する平面図である。
【図２８】シリコン製ボールの収容室の底部に対する平面図である。
【図２９】前記供給器具における浮上弁の頂部に対する斜視図である。
【図３０】浮上弁被覆部の底部に対する斜視図である。
【図３１】浮上弁被覆部の側面図である。
【図３２】浮上弁被覆部の頂部に対する平面図である。
【図３３】浮上弁被覆部の底部に対する平面図である。
【図３４】前記供給器具における被覆遮蔽部の頂部に対する斜視図である。
【図３５】被覆遮蔽部の底部に対する斜視図である。
【図３６】被覆遮蔽部の側面図である。
【図３７】被覆遮蔽部の平面図である。
【図３８】被覆遮蔽部の底部平面図である。
【図３９】前記供給器具における水注入チューブの頂部に対する斜視図である。
【図４０】水注入チューブの底部に対する斜視図である。
【図４１】水注入チューブの前側からの側面図である。
【図４２】水注入チューブの横側からの側面図である。
【図４３】水注入チューブの頂部に対する平面図である。
【図４４】水注入チューブの底部に対する平面図である。
【図４５】前記供給器具の他の実施形態の断面図である。
【図４６】前記器具の更なる他の実施形態の断面図である。
【発明を実施するための形態】
【００６０】
図面に即して詳細に説明するに、容器タイプのコーヒー焙煎器具として使用するためのコップ形状の調合飲料供給器具１０は、商標ＫＥＵＲＩＧ又はＮＥＳＰＲＥＳＳＯの下に販売されてきたことは、前述のとおりである。
【００６１】
本発明の特徴点をより分かりやすく説明するために、前記供給器具１０の更に優れた重要事項については、お茶の焙煎に即して以下のとおり論議する。
【００６２】
しかしながら、本発明の調合対象物は、お茶に限定されている訳ではなく、コーヒー、ココア、ビール、麦芽飲料及び穀物飲料を対象とすることができ、しかもこれらの飲用物に限定されている訳ではない。
【００６３】
図１、２、３に示すように、調合飲用物を供給するコップ形状の調合飲用供給器具１０は、容器本体１４、底側被覆部４０及び上側被覆部５０によって形成される収容室形成用胴部１２を備えている。
【００６４】
コップ形状の調合飲料供給器具１０は、前記のＫＥＵＲＩＧの器具の補助用の収容室を、ＫＥＵＲＩＧにおける再使用可能な籠の場合と同様に、着脱自在の状態にて一体として使用することを予定している。
【００６５】
図１〜１１によって明示するように、容器本体１４は、円錐台形であって、調合物を収容するための収容室１９を形成している。
【００６６】
容器本体１４は、ガラス、又は金属材料、又はポリプロピレンのようなプラスチック材料を素材とすることが好ましい。
【００６７】
容器本体１４の上端は、主胴部１５の上端を大きな径を有している上側環状壁部１６を備えており、上側環状肩部１８によって、主胴部１５の上端と結合している。
【００６８】
上側環状壁部１６の外表面には、螺旋状の結合突条２０が形成されている。
【００６９】
同様に、容器本体１４の下端は、主胴部１５の下端よりも小さな径を有する下側環状壁部２２を備えており、当該下側環状壁部２２は、下側環状肩部２４を介して主胴部１５の下端と結合している。
【００７０】
下側環状壁部２２の外側表面には、螺旋状の結合突条２６が形成されている。
【００７１】
十文字形状の骨状構造物２８が、下側環状壁部２２の内側表面と結合しており、中心部３０が十文字形状の骨状構造物２８の中央位置に形成されており、しかも下側に突出している。
【００７２】
中心部３０は、底壁３２を下側端としている。
【００７３】
円形のステンレススティール製の濾過用ディスク３４（図４〜６）が下側環状肩部２４の上側に位置しており、その中央開口部３６は、中心部３０の位置と整列状態にある。
【００７４】
ステンレススティール製の濾過用ディスク３４は複数の小さな開口部を備えており、かつ中央開口部３６を囲んだ状態にある。
【００７５】
図１〜６及び図１２〜１５に示すように、底側被覆部４０は、下側環状壁部２２と連続状態にて結合している。
【００７６】
底側被覆部４０は、ガラス材、又は金属材料、又はポリプロピレンのようなプラスチック材料を原材料とすることが好ましい。
【００７７】
更には、底側被覆部４０は内側の螺旋状接続部４４を伴う下側環状接続壁部４２を備えており、かつ外側の螺旋状の結合突条２６を介して容器本体１４の下側環状接続壁部２２に対し連続状態にて接続している。
【００７８】
円錐台形状壁部４６は、下側環状接続壁部４２の下端側から更に下側に延設されており、その下端中央に調合物が放出される放流開口部４８を備えている。
【００７９】
環状ガイド壁部４９は、円錐台形状壁部４６の内側表面の上端のやや下側から上側方向に突設されており、かつ、その上端からやや下側にて容器本体１４の下側環状壁部２２を収容し得る環状領域５１を形成するように、下側環状接続壁部４２から内側に空間領域を形成している。
【００８０】
図１〜６及び図１７〜２２に示すように、上側被覆部５０は、上側環状壁部１６の上側開口端と接続されている。
【００８１】
上側被覆部５０は、ガラス材又は金属材料、又はポリプロピレンのようなプラスチック材料を素材としていることが好ましい。
【００８２】
上側被覆部５０は、上側円輪壁部５２を備えており、当該円輪壁部５２に対し、外側周辺にて下側に突設されている環状スカート部５４が固着状態にある。
【００８３】
環状スカート部５４の内側表面には、螺旋状の結合突条５６が螺旋状の結合突条２０の外側部分と内側表面にて突条同士の結合を形成した状態にて備えられており、その結果、上側被覆部５０は、容器本体１４の上側環状壁部１６の上端と結合している。
【００８４】
上側被覆部５０が、上側環状壁部１６の上側開口端と接続された場合には、環状遮蔽リング５７（図５、６、２３）は、上側円輪壁部５２の下側表面と上側環状壁部１６の上端との間に位置することによって密封し得る状態を実現している。
【００８５】
尚、環状遮蔽リング５７は、シリコン製の素材であることが好ましい。
【００８６】
更には、上側環状壁部１６の上端が複数個の薄型同心円状リング１７を備え、かつ環状の遮蔽リング５７に突入することによって密封状態を改善することが好ましい。
【００８７】
第１内側円輪壁部５８は、上側円輪壁部５２の円周状の内側円周状端部６０と同一の径又はより小さな径を有する状態にて接続されており、双方の間には下側に延設されている環状壁部６２が介在しており、その結果第１内側円輪壁部５８は、上側円輪壁部５２の内側でありかつ下側の位置に配置されている。
【００８８】
第２内側円輪壁部６４は、第１内側円輪壁部５８の内側円周状端部６６に対し、同一の径又はやや小さな径を有する状態にて下側に延設されている環状壁部６８を介して接続しており、その結果、第２円輪壁部６４は第１内側円輪壁部５８の内側でありかつ下側の位置に配置されている。
【００８９】
第２内側円輪壁部６４は、円周状の内側表面６７によって囲まれた状態にて中央に位置している注入開口部６９を備えている。
【００９０】
環状突起部７０は、第２内側円輪壁部６４の下側表面から下側に突設されており、しかも円周状態の領域からやや内側の領域にて中央に位置している注入開口部６９を囲んだ状態にて配置されており、その結果、第２内側円輪壁部６４の下側表面であって、かつ環状突起部７０の内側にて環状の下側面を呈している肩部７１が形成されている。
【００９１】
上側円輪壁部５２は、内側円周状端部６０から延設され、部分的な環状を呈している切り込み部７２を備える一方、下側に突設されている環状壁部６２は、部分的な環状を呈している切り込み部７２を形成している湾曲部分７４を備えている。
【００９２】
切替開口部７６は、第１内側環状壁部５８を介して、湾曲部分７４の領域内にて延設されている。
【００９３】
弁室７８は、上側被覆部５０の下側側から延設されており、かつ切替開口部７６を囲んだ状態を呈しており、しかもその下端側に相互に反対側に位置している２個の溝穴８０を備えている。
【００９４】
各溝穴８０は、弁室７８の幅に対し、約４分の３の比率にて延設されている。
【００９５】
内側円輪状鍔部８２は、弁室７８の内側表面を形成しており、弁室７８の下端部から測定した場合に、約４分の１の長さを形成している。
【００９６】
図５、６、１８、１８（A）及び２２〜２８に示すように、環状のシリコンボール室７７は、弁室７８の上側端に固着されている。
【００９７】
環状のシリコンボール室７７は、上側被覆部５０の下側面に接する状態にて配設されている上側環状板８１及び弁室７８内に密着されており、かつ下側に伸張している環状スカート８３を備えている。
【００９８】
中央開口部７９は、環状板８１内に形成されており、かつ切替開口部７６と整列状態を呈している。
【００９９】
環状スカート８３の内側表面は、下側に向かって直線状にて、又は湾曲状にて順次拡大することによって、拡大開口部８５を形成しており、かつ中央開口部７９と接続している。
【０１００】
図５、６及び図２９〜３３に示すように、浮上弁被覆部８４は、弁室７８の下側開口端を閉鎖している。
【０１０１】
浮上弁被覆部８４は、弁室７８の内側径と同程度の外側径を有している環状壁部８６、及び当該環状壁部８６の外側表面に円周状凹部８７を備えている。
【０１０２】
環状壁部８６は、弁室７８の内側表面に形成されている内側円輪状鍔部８２を備えており、その結果、環状壁部８６が弁室７８内に挿入された場合には、浮上弁被覆部８４を不動状態とすることができる。
【０１０３】
溝穴８０は、弁室７８内に環状壁部８６を圧着状態にて挿入することに寄与しており、その結果、弁室７８の内側円輪状鍔部８２は、前記円周状凹部８７に嵌入されている。
【０１０４】
円形底壁８８は、環状壁部８６の下端側に固着されており、しかも当該環状壁部８６よりも大きな径を備えており、その結果、外側に向かう円輪状周囲突条９０を形成している。
【０１０５】
前記円輪状周囲突条９０は、環状壁部８６が弁室７８に内側に挿入された場合には、弁室７８の下端側に当接することになる。
【０１０６】
中心開口部９２は、円形底壁８８に囲まれた状態にて配置されており、複数個（例えば６個）の中心外開口部９４は当該中心開口部９２を囲んだ状態にて配置されている。
【０１０７】
その結果、弁室１００（図５）が第１内側円輪壁部５８及び弁室７８と円形底壁８８との間に形成されることになる。
【０１０８】
弁ボール１０２は、当該弁室１００内に所在しており、その目的については、後述する通りである。
【０１０９】
弁ボール１０２は、ポリプロピレンのようなプラスチック素材又は他の水中にて浮上可能な素材とすることが好ましい。
【０１１０】
図１８Ａに示すように、溝穴８０については、下側端にて閉鎖した形態を選択することが可能であり、その場合には、溝穴８０の下端は、浮上弁被覆部８４の環状壁部８６の上端の位置、又は当該位置の上側に配置されている。
【０１１１】
このような変形された実施形態の場合にも、溝穴８０は、弁室７８に収容された水を排出すると共に、操作の最終段階では、弁室７８内への水の進入を防止することもできる。
【０１１２】
しかも、図５に示すように、溝穴８０は、コップ形状の細かい網目を有する網状濾過部１０３によって被覆されることによって、お茶の葉及びコーヒー粉が弁室７８に進入することを防止することが好ましいが、そのような状態であっても、調合に必要な操作が終了した場合には、水を弁室７８から排出することができる。
【０１１３】
網状濾過部１０３の下側端は、側部の場合と同様に、浮上弁被覆部８４の下側面を被覆することができ、しかも中心開口部９２及び中心外開口部９４をも同様の目的にて被覆することができる。
【０１１４】
図１、５、６及び３４〜３８に示すように、被覆遮蔽部１０４は、上側被覆部５０の第２内側円輪壁部６４における注入開口部６９の内側に収容されている。
【０１１５】
被覆遮蔽部１０４はシリコンを素材とすることが好ましい。
【０１１６】
特に、被覆遮蔽部１０４は、中央開口部１０８及び上側表面を形成している環状凹部１１０を有している環状ディスク１０６を備えており、環状凹部１１０は、内側の円周領域から中央開口部１０８に至るまでの領域を形成している。
【０１１７】
環状壁部１１２は、環状ディスク１０６の下側面から中央開口部１０８を囲んだ状態にて下側に伸張しており、しかも当該中央開口部１０８となめらかに接続している中央開口部１１４を備えている。
【０１１８】
下側環状壁部１１６は、環状壁部１１２よりも大きな径を有しており、かつ当該環状壁部１１２と接続すると共に、環状壁部１１２の下側面から中央開口部１１４を囲んだ状態にて下側に延設されており、かつ当該中央開口部１１４と滑らかに接続している中央開口部１１８を備えている。
【０１１９】
下側環状壁部１１６の形状は特に限定される訳ではないが、逆円錐台形が好ましい。
【０１２０】
その結果、下側環状壁部１１６の上側表面には、環状壁部１１２を囲んだ状態にて環状肩部１２０が形成されており、しかも環状凹部１２２が環状ディスク１０６の下側面、環状壁部１１２の円周上の外側表面、及び環状肩部１２０によって形成されている。
【０１２１】
本発明の器具を組み立てる際には、環状ディスク１０６の下側表面は、第２内側円輪壁部６４の上側表面と接合し、第２内側円輪壁部６４における円周状の内側表面６７は、環状ディスク１０６の下側面と環状肩部１２０との間に配置されている環状凹部１２２と接合し、その結果、被覆遮蔽部１０４の位置が上記接合位置によって確定することになる。
【０１２２】
組立の最終段階では、図５、６及び３９〜４４に示すように、水注入チューブ１２４は、上側被覆部５０の環状突起部７０の上端と接続している。
【０１２３】
水注入チューブ１２４は、ガラス材、金属材料、又はポリプロピレンのようなプラスチック材料を素材とすることが好ましい。
【０１２４】
特に、水注入チューブ１２４は流入開口部を形成するための環状固着部１２６を備えており、当該環状固着部１２６は上側部分が切除された状態にあり、しかもその内側領域では、下側の環状表面１３０と内側環状表面１３２とによって形成された内側環状凹部１２８を備えている。
【０１２５】
環状突起部７０は、その外表面が内側環状表面１３２と結合することによって、内側環状凹部１２８を内側として、堅固な状態にて嵌着している。
【０１２６】
しかも、環状突起部７０が嵌着に際し突入する深さは、下側の環状表面１３０と当該環状突起部７０の下側表面とが結合し合う領域に限定されている。
【０１２７】
このように、水注入チューブ１２４は、環状突起部７０に密封された状態にて保持され、かつ容器本体１４内にて下側に延設されている。
【０１２８】
水注入チューブ１２４は、上側の流入開口部を形成するための環状固着部１２６から先細り形状の頸部１３４に至るまで、径が小さくなる状態を呈しているが、このような状態は、下側に伸張している下側環状チューブ部分１３６を限度としており、当該下側環状チューブ部分１３６は、下端において円錐形状の閉鎖部１３８を備えている。
【０１２９】
下側に伸張している下側環状チューブ部分１３６の下端には、直径方向に沿った反対方向に２個の流出開口部１４０が備えられており、加圧によって上側における前記環状固着部１２６から流入した加熱水は、当該流出開口部１４０内を流通することによって、水注入チューブ１２４から中心軸に対し交差する方向に流出している。
【０１３０】
流出開口部は、下側環状チューブ部分１３６の長手方向又は中心軸に対し上側方向、例えば４５度上側に傾斜していることが好ましい。
【０１３１】
このような角度状態によって、飲用液又は調合物は、重力と反対方向の力によって上側に流動し、その後重力によって下降することになる。
【０１３２】
しかも、流出開口部１４０の開口面積が水注入チューブ１２４の入口における開口面積よりも小さいことから、加圧された加熱水は流出開口部１４０から噴出することに帰する。
【０１３３】
前記のような流出開口部１４０の構造によって、加圧された加熱水が容器本体１４内においてお茶の葉を攪拌しかつお茶の葉と混合し得ることは、直ちに把握し得る推移である。
【０１３４】
上記構成の実施形態において、調合飲用物を供給するコップ形状の供給器具１０が、収容室形成用胴部１２内において水を収容し得る容量は、例えば２オンスの代金相当程度である。
【０１３５】
但し、本発明は、このような状態に限定される訳ではない。
【０１３６】
お茶の葉又はコーヒー粉、ココア、ビール、麦芽飲料及び穀物飲料のような調合物は、前記調合用に使用することができる。
【０１３７】
本発明に係る調合飲用物を供給するコップ形状の供給器具１０は、単一製品であって、かつＫＥＵＲＩＧの登録商標の下に販売されているコーヒー焙煎器具のうち、Ｋ−ＣＵＰの登録商標の下に扱われている単一部品に代えて使用することができる。
【０１３８】
水が十分加熱された状態にて、スタートボタンが押された場合には、ＫＥＵＲＩＧ器具による注入噴出口３００（図５）は、既に説明した注入開口部６９の上側に配置されており、水は加圧された状態にて水注入チューブ１２４内に供給される。
【０１３９】
加圧された加熱水は、相互に反対方向にある流出開口部１４０を介して、水注入チューブ１２４から排出されることになる。
【０１４０】
小さな径を有しておりかつ側部に存在する前記流出開口部１４０から排出される加熱水は、必然的に噴射状態にあり、その結果、お茶の葉を攪拌し、かつお茶の葉と混合する。
【０１４１】
注入された注入噴出口３００を注入開口部６９に挿入した場合には、当該水は、加圧されていることから、空気は、注入開口部６９から流出していない。
【０１４２】
加圧された加熱水が収容室形成用胴部１２内にてお茶の葉を攪拌し、かつお茶の葉を激動させることによって、お茶の葉は浸漬されることになる。
【０１４３】
その原因は、前記胴部１２に流入しようとする水の量は、小さな放流開口部４８を介して、当該胴部１２から放流しようとする水の量よりも多いことから、加熱水が前記胴部１２内にて飽和状態となっていることにある。
【０１４４】
換言するならば、放流開口部４８は、調合飲用液が如何なる時期においても、少量の放流状態となるような大きさに設定されており、かつ水注入チューブ１２４の入口の径が放流開口部４８の小さな径よりも明らかに大きいことに由来している。
【０１４５】
このような状況に加えて、お茶の葉の存在は、放流開口部４８からの加熱水の放流に対する障壁を形成しており、その結果、前記胴部１２における加熱水の流入量／排出量という相対的割合を異なった状態とすることに寄与している。
【０１４６】
弁ボール１０２は、当初浮上弁被覆部８４上に配置されており、その結果、切替開口部７６は、外気に対して開放された状態にある。
【０１４７】
但し、前記胴部１２内にて水面が上昇するに従って、弁室７８の上端における空気は前記胴部１２の上側領域を充満せずに、切替開口部７６を介して上側に押圧され、その結果、前記胴部１２の上側部分に対する外気又は蒸気の進入」を防止し、かつ当該胴部１２内における水を必要な量に設定することができる。
【０１４８】
弁室７８内において水面が所定のレベルに至った場合には、浮上弁ボール１０２は、当該水と共に上昇し、シリコンボール弁室７７に対して接触状態に至り、切替開口部７６を閉鎖することになる。
【０１４９】
このような時期においても、加圧された加熱水は前記胴部１２に対する流入を継続している。
【０１５０】
前記胴部１２内が水によって完全に充満された段階では、前記胴部１２内の圧力は、ポンプの押圧力と等しい状態に至っている。
【０１５１】
このように、容器内の圧力が上昇している段階では、当該圧力はお茶の葉から風味を短時間にて抽出することに寄与している。
【０１５２】
しかも、前記胴部１２が加圧され、しかも加熱水によって完全に充満しているというこの段階では、お茶の葉に浸漬した加熱されたお茶が放流開口部４８を介して、前記胴部１２からの外側への放流と同等の割合にて新鮮な加熱水が前記胴部１２内に流入している。
【０１５３】
このような状態によって、所望のお茶を調合することができ、その結果、例えば、１グラス当り８オンス、又は１水差し又はポット当り３２オンスという程度の量にすることができる。
【０１５４】
加圧された加熱水の水注入チューブ１２４を介した注入が終了した場合であっても、加熱水の浸漬を原因とするお茶は、小さな放流開口部４８を介した前記胴部１２からの排出を継続している。
【０１５５】
前記胴部１２内の水面が弁ボール１０２のレベルよりも下側に至った場合には、弁ボール１０２の浮上位置は低下し、更には浮上弁被覆部８４上に配置され、その結果、切替開口部７６は外気に対して開放しているが、そのような開放状態は、残留した水の浸漬によるお茶が重力に従って小さな放流開口部４８を介して重力の作用によって排出されることに寄与することになる。
【０１５６】
以上によって、切替開口部７６、シリコンボール室７７、弁室７８、浮上弁被覆部８４及び弁ボール１０２によって構成されている浮上弁機構を使用することによって、内部の空気の排出及び外部の空気又は蒸気の胴部１２への進入を防止し、かつ前記胴部１２における水量を所望の量に設定している。
しかも、水が弁室７８内にて所定のレベルに至った場合には、弁ボール１０２は水と共に上昇し、その結果、シリコンボール室７７に隣接し、切替開口部７６を閉鎖している。
【０１５７】
即ち、加圧された前記胴部１２においては、水を圧力によってお茶の葉に進入され、極めて短時間のうちに風味を抽出することを可能としている。
【０１５８】
このように、加圧状態にある前記胴部１２は、単に外圧によって、容器又はコップに対し水を供給しているに過ぎない現状のＫＥＵＲＩＧ又はＮＥＳＰＲＥＳＳＯ器具とは、全く作動状態が相違することに注意すべきである。
【０１５９】
前記のように、浮上弁について記載したが、本発明においては、このような浮上弁だけでなく、他の適切な弁の使用も可能である。
【０１６０】
調合飲用物を供給するコップ形状の供給器具１０は、１回限りの使い捨ての容器として使用することができるが、再び使用し得る容器として使用することもできる。
【０１６１】
後者の場合には、使用者は、洗浄し、新しいお茶の葉又は他の調合材料を充満することができる。
【０１６２】
本発明の次の特徴として、噴霧器２００が収容室形成用胴部１２の下端、又は底側被覆部４０、更には図３に示すように、下側の放流開口部４８の真下に設けられており、お茶が小さな放流開口部４８から噴出する際には、噴霧器２００が液状のお茶を小さな噴霧状態に微細化するという機能を発揮している。
【０１６３】
その結果、熱いお茶は、速やかに冷却され、更にはグラス内に氷を収容することができる。
【０１６４】
このような現象は、液滴状態にあるお茶の表面積が大きくなった状態にて周囲の外気中に露出され、その結果、お茶が速やかに冷却されることに由来している。
【０１６５】
更には、お茶が、グラス内に氷を入れる前に相当冷却されることによって、グラス内の氷を完全に溶かさないことに立脚している。
【０１６６】
噴霧器２００は、通常採用されている噴霧器であれば、どのような形態であっても採用することができる。
【０１６７】
例えば、噴霧器２００は、液状飲用物が通過することによって、微細な噴霧状態とするような微細な孔を備えた遮蔽物（図示せず）という単純な構成をも採用することができる。
【０１６８】
このような構成とは別に、例えば、噴霧器２００は、良く知られているベンチュリ効果を利用することもできる。
【０１６９】
その場合には、気体が順次断面積が減少するようなチューブ又はベンチュリ管を所定の圧力の下に噴出される際、噴出速度が上昇し、所謂ベルヌーイの定理によって最も断面積が小さい位置において圧力が低下している。
【０１７０】
このような圧力低下によって、飲用液が存在する場所との圧力の相違が発生し、飲用液は、収容室形成用胴部１２側から吸収されるか、又は前記胴部１２側から流出し、チューブのうちの最も狭い領域を介して流動している気流中に流動し、微細な噴霧状態の液滴となって噴出され、通常使用されている香水に対する噴霧器と同じような状態を呈することになる。
【０１７１】
本発明の特許請求の範囲に基づく技術的範囲においては、色々な変形による形態を採用することができる。
【０１７２】
例えば、上側被覆部５０、環状遮蔽リング５７、被覆遮蔽部１０４、及び水注入チューブ１２４の採用を省略することができる。
【０１７３】
このような場合、ＫＥＵＲＩＧのＫ−ＣＵＰ容器４０６を、図４５に示すように、下側に移行し、かつ容器本体１４内に配置することができる。
【０１７４】
その場合、少なくとも１個の貫通チューブ４００は、突設部４０２によって、容器本体１４から伸張し、かつＫ−ＣＵＰ容器４０６の底壁４０４を貫通することになる。
【０１７５】
通常のＫＥＵＲＩＧの場合と同様に、加圧された加熱水の供給部４１３に接合している注入貫通チューブ４０８は、上側に移行可能な支持部４１０に載置され、かつモータ４１２によって上下方向に移動しており、その結果、注入用供給用開口部を形成し、Ｋ−ＣＵＰ容器４０６の薄型の蓋４１４に対する第１貫通端部を形成し、かつ容器４０６に対し加圧された加熱水を供給することになる。
【０１７６】
しかしながら、本発明に立脚している前記実施形態内おいては、第１の実施形態と同一の構成の浮上弁機構４１５を、上側被覆部５０に載置する代わりに、移動可能な支持部４１０に載置され、かつ下端側において弁開口部を形成し、かつ薄型の蓋４１４に対する第２の貫通端部を形成する貫通チューブ４１６を備えている。
【０１７７】
このような場合、第１の実施形態と同一構成である浮上弁機構４１５は、第２の貫通端部を形成する貫通チューブ４１６が前記蓋４１４を貫通した後には、図４５の点線４１７に示すように、Ｋ−ＣＵＰ容器４０６の内側に配置されることになる。
【０１７８】
このような配列構成の場合には、第１の実施形態と同様の操作が行われる一方、従来製品であるＫ−ＣＵＰ容器を使用することが可能となる。
【０１７９】
前記配列構成の場合には、通常のＫＥＵＲＩＧにおいて再使用可能な籠である補助室を外した状態にて使用することもできる。
【０１８０】
しかも、支持部４１０に対して浮上弁機構４１５を配置する構成の場合には、補助室が部品となっているＫ−ＣＵＰと一体となっているＫＥＵＲＩＧ容器だけを通常の場合と同様に使用することができる。
【０１８１】
更には、第１の実施形態の上側被覆部５０における浮上弁機構を除外したうえで、図４５に示すように、当該浮上弁機構４１５を支持部４１０に配置するように変形することもできる。
【０１８２】
このような場合、上側被覆部５０は、図１の点線に示すような大きな切替開口部４１８を有しており、かつ当該開口部を介して、支持部４１０に対して浮上弁機構４１５が配置され、しかも上側被覆部５０の切替開口部４１８の周辺を遮蔽し、空気は浮上弁機構４１５を介して流動することができる。
【０１８３】
調合飲料供給用のコップ形状の供給器具の上側領域における空気は、最初の加熱水の充満時期に外部に流出し、かつ、加熱水が完全に充満した場合には、当該供給器具から排出されている。
【０１８４】
その結果、加熱水が充満している段階では、空気又は蒸気の供給器具又は包装体の状態への進入」を遮蔽することができる。
【０１８５】
このような作用効果を第１の実施形態において実現するためには、弁機構における浮上弁が供給器具又は包装体の上側領域に配置されていることを必要不可欠とする。
【０１８６】
しかしながら、図４６に示す実施形態の場合には、弁機構を採用せずとも、同一の作用効果を達成することができる。
【０１８７】
具体的に説明するに、環状の閉じた壁部５００が収容室形成用胴部１２を囲んだ状態にて配置されており、かつ当該壁部５００と前記胴部１２との間にて薄い環状の空気室５０２が形成されることによって、外気に対して開放していない閉鎖状態を実現することができる。
【０１８８】
そして、前記胴部１２の上側壁部に第３開口部５０４が設定された場合には、前記胴部１２の内側空間と空気室５０２との間を流通可能な状態とすることができる。
【０１８９】
このような構造によって、前記胴部１２が加熱水によって充満した場合には、前記胴部１２内の空気は、強制的に第３開口部５０４を介して空気室５０２に移動せざるを得ないことになる。
【０１９０】
空気室５０２の空間領域の寸法については、水面が第３開口部５０４のレベルに至った場合には、空気室５０２内の空気が圧縮され、しかも水の充満に基づく圧力と等しい圧力となるように選択されており、これらの選択によって、空気室５０２内の圧縮された空気によって第３開口部５０４を介した水の進入は防止される。
【０１９１】
その結果、水が前記胴部１２を充満した場合には、第１の実施形態の場合と同様に、収容室内の圧力が上昇し、水が短時間のうちにお茶の葉の風味をより一層効率的に抽出することができる。
【０１９２】
しかも、前記胴部１２が加圧され、かつ加熱水によって完全に充満された場合には、焙煎された熱いお茶は、新たな加熱水が前記胴部１２に進入することに対応して、小さな放流開口部４８を介して、前記胴部１２からの放流を継続することになる。
【０１９３】
このような継続によって、所望の量のお茶を焙煎し、その結果、１個のグラス当り８オンス又は１個の水差し又はポット当り３２オンスに相当する程度の量を排出することができる。
【０１９４】
加熱水が水注入チューブ１２４への注入が中止された場合であっても、焙煎されたお茶の放流開口部４８を介した放流が継続している。
【０１９５】
収容室形成用胴部１２内の水面が下降した場合には、前記胴部１２内の圧力よりも、空気室５０２の圧力の方が大きいことを原因として、第３開口部５０４を介して、空気が再び前記胴部１２内に流入する。
【０１９６】
このような現象は、残留している焙煎茶が重力によって放流開口部４８を介して外部に放流することに寄与することになる。
【０１９７】
空気室５０２の存在によって、空気が当該空気室５０２内に流入することによって、収容室形成用胴部１２が充満状態にある場合に、空気又は蒸気の進入」を遮蔽することができる。
【０１９８】
しかも、第１の実施形態の場合と同様に、加圧された収容室においては、水が短期間のうちにお茶の葉から風味を抽出することを可能としている。
【０１９９】
空気が出入りする上記第３開口部５０４が存在したところで、前記胴部１２の全領域における上記風味の抽出という作用に格別の影響を与える訳ではない。
【０２００】
勿論、空気室５０２は、異なる位置に配設することも可能であって、例えば収容室形成用胴部１２の内側面、又は上側円輪壁部５２の下側面の下側の一部、又は当該上側円輪壁部５２の上側表面の上側の一部、更には他の適当な場所に配設することも可能である。
【０２０１】
添付図面に即して、各好ましい実施形態について、以上のとおり説明したが、本発明は、これらの個別の実施形態に限定される訳ではなく、当業者においては、後述する特許請求の範囲によって構成される発明の技術的範囲又は基本的技術思想の範囲内にて、様々な変形及び修正による構成を採用することができる。
【産業上の利用可能性】
【０２０２】
このように、本発明に係る既存のＫＥＵＲＩＧによる装置において、既存のＫ−ＣＵＰの容器の技術的問題点を十分克服したうえで、効率的に飲用物の素材から風味を抽出することが可能であって、その利用価値は絶大である。
【符号の説明】
【０２０３】
１０    調合飲料供給器具
１２    収容室形成用胴部
１４    容器本体
１５    主胴部
１６    上側環状壁部
１７    薄型同心円状のリング
１８    上側環状肩部
１９    収容室
２０    結合突条
２２    下側環状壁部
２４    下側環状肩部
２６    結合突条
２８    十文字形状の骨状構造物
３０    中心部
３２    底壁
３４    濾過用ディスク
３６    中央開口部
４０    底側被覆部
４２    下側環状接続壁部
４４    螺旋状接続部
４６    円錐台形状壁部
４８    放流開口部
４９    環状ガイド壁部
５０    上側被覆部
５１    環状領域
５２    上側円輪壁部
５４    環状スカート部
５６    結合突条
５７    環状遮蔽リング
５８    第１内側円輪壁部
６０    内側円周状端部
６２    環状壁部
６４    第２内側円輪壁部
６６    内側円周状端部
６７    内側表面
６８    環状壁部
６９    注入開口部
７０    環状突起部
７１    肩部
７２    切り込み部
７４    湾曲部分
７６    切替開口部
７７    シリコンボール室
７８    弁室
７９    中央開口部
８０    溝穴
８１    環状板
８２    円輪状鍔部
８３    環状スカート
８４    浮上弁被覆部
８５    拡大開口部
８６    環状壁部
８７    円周状凹部
８８    円形底壁
９０    円輪状周囲突条
９２    中心開口部
９４    中心外開口部
１００  弁室
１０２  弁ボール
１０３  網状濾過部
１０４  被覆遮蔽部
１０６  環状ディスク
１０８  中央開口部
１１０  環状凹部
１１２  環状壁部
１１４  中央開口部
１１６  下側環状壁部
１１８  中央開口部
１２０  環状肩部
１２２  環状凹部
１２４  水注入チューブ
１２６  流入開口部を形成するための環状固着部
１２８  内側環状凹部
１３０  下側の環状表面
１３２  内側環状表面
１３４  頸部
１３６  下側環状チューブ部分
１３８  円錐形状の閉鎖部
１４０  流出開口部
２００  噴霧器
３００  注入噴出口
４００  貫通チューブ
４０２  突設部
４０４  底壁
４０６  Ｋ−ＣＵＰ容器
４０８  注入用供給用開口部を形成し、かつ第１の貫通端部を形成する貫通チューブ
４１０  支持部
４１２  モータ
４１３  加熱水の供給部
４１４  蓋
４１５  浮上弁機構
４１６  弁開口部を形成し、かつ第２の貫通端部を形成する貫通チューブ
４１８  切替開口部
５００  環状の閉じた壁部
５０２  空気室
５０４  第３開口部
【国際調査報告】
2017506088.tif 000050